(57)【要約】  超高精細度パネルであっても、画質を確保するのに十分なサブフィールド数を確保することができ、十分な輝度で表示できるＰＤＰの駆動方法およびＰＤＰ装置を提供することを目的とする。  そのため、１フィールド期間を、書込み期間と維持期間とを有する複数のサブフィールドに分割する。複数の表示電極対を複数Ｎ個の表示電極対グループに分け、表示電極対グループ毎にサブフィールドの開始タイミングを設定する。ここで、パネル全体の放電セルで１回の書込み動作を行うために必要な時間をＴｗとするとき、それぞれの表示電極対グループの各サブフィールドの維持期間の時間長さがＴｗ×（Ｎ−１）／Ｎを超えないように設定する。
2009133660.tif 000002
【特許請求の範囲】
【請求項１】
走査電極と維持電極とで構成された表示電極対を複数備えるとともに複数のデータ電極を備え、前記表示電極対と前記データ電極とが交差する位置のそれぞれに放電セルを構成したプラズマディスプレイパネルを駆動する方法であって、
前記複数の表示電極対を複数の表示電極対グループに分け、
前記表示電極対グループ毎に、放電セルで書込み放電を発生させる書込み期間と前記放電セルで維持放電を発生させる維持期間とを有し、輝度重み付けされた複数のサブフィールドを用いて１フィールド期間を分割し、
前記表示電極対グループの数をＮ（Ｎは２以上の整数）、パネル全体の放電セルで１回の書込み動作を行うために必要な時間をＴｗとするとき、
各表示電極対グループの各サブフィールドの維持期間の時間が、Ｔｗ×（Ｎ−１）／Ｎ以下の範囲内で当該サブフィールドの輝度重みに応じて設定された駆動を行うプラズマディスプレイパネルの駆動方法。
【請求項２】
１フィールドの最初に各放電セルで初期化放電を発生させる初期化期間を設け、且つ各表示電極対グループの各サブフィールドの維持期間の後に、その維持期間で放電した放電セルに対して消去放電を発生させる消去期間を設けた請求項１に記載のプラズマディスプレイパネルの駆動方法。
【請求項３】
前記初期化期間において、
前記複数の表示電極対を構成する各走査電極に対して、一括して初期化パルスを印加することを特徴とする請求項２記載のプラズマディスプレイパネルの駆動方法。
【請求項４】
前記初期化期間に前記走査電極に印加する初期化パルスの最高電圧は、
前記維持期間に前記複数の表示電極対に印加する維持電圧の２倍以上である請求項３記載のプラズマディスプレイパネルの駆動方法。
【請求項５】
前記初期化期間および前記各消去期間を除くフィールド期間に、いずれかの表示電極対グループで連続して書込み動作を行う請求項２に記載のプラズマディスプレイパネルの駆動方法。
【請求項６】
１フィールド期間に含まれる複数のサブフィールドの中で、輝度重みの最も小さいサブフィールドが最後に配置されている請求項１に記載のプラズマディスプレイパネルの駆動方法。
【請求項７】
走査電極と維持電極とで構成された表示電極対を複数備えると共に複数のデータ電極を備え、前記表示電極対と前記データ電極とが交差する位置のそれぞれに放電セルを構成したプラズマディスプレイパネルと、前記プラズマディスプレイパネルを駆動するための駆動回路とを備え、
前記駆動回路は、
前記複数の表示電極対を複数の表示電極対グループに分け、
前記表示電極対グループ毎に、前記放電セルで書込み放電を発生させる書込み期間と前記放電セルで維持放電を発生させる維持期間とを有し、輝度重み付けされた複数のサブフィールドを用いて１フィールド期間を分割し、
前記表示電極対グループの数をＮ（Ｎは２以上の整数）、パネル全体の放電セルで１回の書込み動作を行うために必要な時間をＴｗとするとき、
各表示電極対グループの各サブフィールドの維持期間の時間が、
Ｔｗ×（Ｎ−１）／Ｎ以下の範囲内で当該サブフィールドの輝度重みに応じて設定された駆動を行うプラズマディスプレイ装置。
【請求項８】
１フィールドの最初に各放電セルで初期化放電を発生させる初期化期間を設け、かつ各表示電極対グループの各サブフィールドの維持期間の後に、その維持期間で放電した放電セルに対して消去放電を発生させる消去期間を設けた請求項７に記載のプラズマディスプレイ装置。
【請求項９】
前記初期化期間において、
前記複数の表示電極対を構成する各走査電極に対して、一括して初期化パルスを印加することを特徴とする請求項８記載のプラズマディスプレイ装置。
【請求項１０】
前記初期化期間に前記走査電極に印加する初期化パルスの最高電圧は、
前記維持期間に前記複数の表示電極対に印加する維持電圧の２倍以上である請求項９記載のプラズマディスプレイ装置。
【請求項１１】
前記初期化期間および前記各消去期間を除くフィールド期間に、いずれかの表示電極対グループで連続して書込み動作を行う請求項７に記載のプラズマディスプレイ装置。
【請求項１２】
１フィールド期間に含まれる複数のサブフィールドの中で、輝度重みの最も小さいサブフィールドが最後に配置されている請求項７に記載のプラズマディスプレイ装置。
【発明の詳細な説明】
【技術分野】
【０００１】
本発明は、プラズマディスプレイパネルの駆動方法およびプラズマディスプレイ装置に関し、特にパネル構造が高精細なものに関する。
【背景技術】
【０００２】
プラズマディスプレイパネル（以下、「パネル」と略記する）として代表的な交流面放電型パネルは、対向配置された前面基板と背面基板との間に多数の放電セルが形成されている。【０００３】
前面基板には走査電極と維持電極とからなる表示電極対が互いに平行に複数対形成され、背面基板にはデータ電極が平行に複数形成されている。そして、表示電極対とデータ電極とが立体交差するように前面基板と背面基板とが対向配置されて密封され、内部の放電空間には放電ガスが封入されている。ここで表示電極対とデータ電極との対向する部分に放電セルが形成される。【０００４】
パネルを駆動する方法としては、１フィールドを、輝度重み付けされた複数のサブフィールドに分割した上で、発光させるサブフィールドの組み合わせによって階調表示を行うサブフィールド法が用いられる。各サブフィールドは、初期化期間、書込み期間および維持期間を有する。初期化期間では初期化放電を発生し、続く書込み動作に必要な壁電荷を形成する。書込み期間では、表示する画像に応じて選択的に放電セルで書込み放電を発生し壁電荷を形成する。そして維持期間では、走査電極と維持電極とからなる表示電極対に交互に維持パルスを印加して輝度重みに応じた時間だけ維持放電を発生させ、対応する放電セルの蛍光体層を発光させることにより画像表示を行う。【０００５】
サブフィールド法の中でも、書込み期間と維持期間とを時間的に完全に分離した、書込み・維持分離方式（ＡＤＳ方式）が一般的に用いられている。ＡＤＳ方式は、書込み放電を発生させる放電セルと維持放電を発生させる放電セルとが共存する時間帯が存在しないので、書込み期間には書込み放電に最適な条件で、維持期間には維持放電に最適な条件でパネルを駆動することができる。そのため放電制御が比較的簡単であり、またパネルの駆動マージンも大きく設定することができる。【０００６】
その反面、ＡＤＳ方式では、書込み期間を除く期間に維持期間を設定するため、パネルの高精細度化等に伴って書込み期間に要する時間が長くなると、十分な輝度を確保しながら、画質を確保する上で十分なサブフィールド数を確保することが難しくなるという問題があった。【０００７】
このような問題を解決するために、例えば、特許文献１には、表示電極対を複数のグループに分け、複数のブロックのうち２つ以上のブロックの書込み期間が時間的に重ならないように、それぞれのブロックのサブフィールドの開始時間をずらして設定した駆動方法が開示されている。【０００８】
この駆動方法によれば、あるグループの書き込み期間に他のグループの維持期間を重ねて駆動することができるので、１サブフィールドの駆動時間を短縮でき、その分、１フィールド内に設定するサブフィールド数を増やすことができる。
【先行技術文献】
【特許文献】
【０００９】
【特許文献１】特開２００５−１５７３３８号公報
【発明の概要】
【発明が解決しようとする課題】
【００１０】
しかしながら、特許文献１にも記載されているように、駆動時間は、ブロックの数、走査電極数、サブフィールド数、維持パルス数、書込み放電および維持放電に要する時間等の諸条件にも依存しており、単に２つ以上のブロックの書込み期間が時間的に重ならないようにサブフィールドの開始時間をずらすだけでは、必ずしも十分なサブフィールド数を確保できるとはいえない。【００１１】
また、パネルにおいて、更なる高精細度化が進められており、例えば２１６０ラインあるいは４３２０ラインといった超高精細度のパネルを駆動する方法が望まれているが、高精細度化に伴って書込み期間に要する時間が長くなるので、十分な輝度を確保しながら、サブフィールド数を十分に確保することが難しくなっている。【００１２】
本発明は、このような課題に鑑みてなされたものであり、超高精細度パネルであっても、十分な画質を確保するのに必要なサブフィールド数を１フィールド内に設定することができ、且つ十分な輝度を確保できるパネルの駆動方法およびパネル装置を提供することを目的とする。
【課題を解決するための手段】
【００１３】
上記目的を達成するために本発明は、走査電極と維持電極とで構成された表示電極対を複数備えるとともに複数のデータ電極を備え、表示電極対とデータ電極とが交差する位置のそれぞれに放電セルを構成したパネルを駆動する上で、複数の表示電極対を複数の表示電極対グループに分け、表示電極対グループ毎に、放電セルで書込み放電を発生させる書込み期間と放電セルで維持放電を発生させる維持期間とを有する複数のサブフィールドを用いて１フィールド期間を分割し、表示電極対グループの数をＮ、パネル全体の放電セルで１回の書込み動作を行うために必要な時間をＴｗ、各表示電極対グループにおける各サブフィールドの維持期間の時間を、Ｔｗ×（Ｎ−１）／Ｎ以下の範囲でサブフィールドの輝度重みに応じて設定した駆動を行うこととした。【００１４】
ここで、上記「書込み動作」は、パネル全体に存在する複数の表示電極対に対して順次書き込みを行うシングルスキャン方式による書き込みを指すこととする。このシングルスキャン方式では、複数の表示電極対グループの各々に対する書き込み期間は互いに重なることがない。すなわち同時に２つ以上の表示電極対グループに対して書き込みは行わない。【００１５】
上記Ｔｗも「パネル全体の放電セルに対して、シングルスキャン方式によって１回の書込み動作を行うために必要な時間」を意味する。【００１６】
上記発明において、１フィールドの最初に各放電セルで初期化放電を発生させる初期化期間を設け、且つ各表示電極対グループの各サブフィールドの維持期間の後に、その維持期間で放電した放電セルに対して消去放電を発生させる消去期間を設けることが望ましい。【００１７】
そして、１フィールドの中で、初期化期間および各サブフィールドの消去期間を除く期間に、いずれかの表示電極対グループで連続して書込み動作が行われるようにすることが好ましい。【００１８】
ここで、上記初期化期間において、複数の表示電極対を構成する各走査電極に対して、一括して初期化パルスを印加することが好ましい。【００１９】
また、初期化期間に走査電極に印加する初期化パルスの最高電圧は、維持期間に複数の表示電極対に印加する維持電圧の２倍以上であることが好ましい。【００２０】
また、１フィールド期間に含まれる複数のサブフィールドの中で、輝度重みの最も小さいサブフィールドを最後に配置することが好ましい。
【発明の効果】
【００２１】
上記本発明によれば、各表示電極対グループにおける各サブフィールドの維持期間の時間が、Ｔｗ×（Ｎ−１）／Ｎ以下の範囲内で輝度重みに応じて設定されているので、１フィールドの中で、初期化期間および各サブフィールドの消去期間を除く期間に、いずれかの表示電極対グループで連続して書込み動作を行うことができる。【００２２】
従って、超高精細度パネルであっても、画質を確保する上で十分なサブフィールド数を確保することができる。【００２３】
なお、Ｎは２以上の整数であるが、このＮを大きく設定するほど、維持期間の時間長さを大きく設定できることになる。【００２４】
ここで、１フィールドの最初に各放電セルで初期化放電を発生させる初期化期間を設け、且つ各表示電極対グループの各サブフィールドの維持期間の後に、その維持期間で放電した放電セルに対して消去放電を発生させる消去期間を設けるようにすれば、各サブフィールドごとに初期化期間を設ける場合と比べて、１フィールド内に占める初期化期間の時間を短縮できるので、１フィールド内に設けるサブフィールド数を増やすのに寄与する。【００２５】
上記初期化期間において、複数の表示電極対を構成する各走査電極に対して、一括して初期化パルスを印加すれば、初期化パルスの最高電圧を高く設定することができる。【００２６】
そして、初期化期間に走査電極に印加する初期化パルスの最高電圧は、維持期間に複数の表示電極対に印加する維持電圧の２倍以上に設定すれば、各サブフィールドごとに初期化パルスを印加しなくても、維持期間の後に消去期間を設けるだけで、各放電セルの状態を初期化できる。【００２７】
上記本発明において、１フィールド期間に含まれる複数のサブフィールドの中で、輝度重みの最も小さいサブフィールドを最後に配置すれば、最後のサブフィールドの時間長さを短縮できるので、１フィールド内に設定するサブフィールド数を増やすのに寄与する。【００２８】
高精細（ライン数１０８０以上）、特にライン数２１６０ライン以上の超高精細のパネルにおいては、Ｔｗの時間が長くなり、Ｔｗ×（Ｎ−１）／Ｎの時間も長くなるので、Ｔｗ×（Ｎ−１）／Ｎ以下の条件で、各サブフィールの維持期間を比較的長く設定することができる。従って、本発明は特に高精細のパネルに対して有効である。
【図面の簡単な説明】
【００２９】
【図１】実施の形態１に用いるパネルの構造を示す分解斜視図である。
【図２】同パネルの電極配列図である。
【図３】Ｎ個の各表示電極対グループに対して、書き込み期間、維持期間の割り当てを説明するタイムチャートである。
【図４】実施の形態１にかかる駆動方法および表示電極対の数の設定方法について説明する図である。
【図５】実施の形態１にかかるパネルの各電極に印加する駆動電圧波形を示す図である。
【図６】実施の形態において、消去期間に各電極に印加する駆動電圧波形のバリエーションを示す図である。
【図７】実施の形態にかかる駆動電圧波形のサブフィールド構成を示す模式図である。
【図８】実施の形態１かかるプラズマディスプレイ装置の回路ブロック図である。
【図９】同プラズマディスプレイ装置の走査電極駆動回路の回路図である。
【図１０】同プラズマディスプレイ装置の維持電極駆動回路の回路図である。
【図１１】実施の形態２に用いるパネルの電極配列図である。
【図１２】実施の形態２にかかる駆動電圧波形のサブフィールド構成を示す模式図である。
【発明を実施するための形態】
【００３０】
本発明の実施の形態にかかるパネル及びその駆動方法について、図面を用いて説明する。
【００３１】
[実施の形態１]
(パネル構造)
図１は、実施の形態１に用いるパネル１０の構造を示す分解斜視図である。ガラス製の前面基板２１上には、走査電極２２と維持電極２３とで構成された表示電極対２４が複数形成されている。表示電極対２４を形成する走査電極２２と維持電極２３との間の放電ギャップで放電を発生させ、光を取り出すために、走査電極２２は幅の広い透明電極２２ａを有し、維持電極２３も幅の広い透明電極２３ａを有している。そして透明電極２２ａ、２３ａの上の放電ギャップから遠い位置に幅の狭いバス電極２２ｂ、２３ｂが積層されている。隣接する表示電極対２４の間には、光を遮断するブラックストライプ２９が設けられている。そして走査電極２２と維持電極２３とブラックストライプ２９とを覆うように誘電体層２５が形成され、その誘電体層２５上に保護層２６が形成されている。
【００３２】
背面基板３１上にはデータ電極３２が複数形成され、データ電極３２を覆うように誘電体層３３が形成され、さらにその上に井桁状の隔壁３４が形成されている。そして、隔壁３４の側面および誘電体層３３上には赤色、緑色および青色の各色に発光する蛍光体層３５が設けられている。
【００３３】
これら前面基板２１と背面基板３１とは、微小な放電空間を挟んで表示電極対２４とデータ電極３２とが交差するように対向配置され、その外周部をガラスフリット等の封着材によって封着されている。そして放電空間には、例えばネオンとキセノンの混合ガスが放電ガスとして封入されている。放電空間は隔壁３４によって複数の区画に仕切られており、表示電極対２４とデータ電極３２とが交差する位置のそれぞれに放電セルが構成されている。そしてこれらの放電セルが放電、発光することにより画像が表示される。
【００３４】
なお、パネル１０の構造は上述したものに限られるわけではなく、例えばストライプ状の隔壁を備えたものであってもよい。
【００３５】
図２は、実施の形態１に用いるパネル１０の電極配列図である。パネル１０には、行方向（ライン方向）に長いｎ本の走査電極ＳＣ１〜ＳＣｎ（図１の走査電極２２）およびｎ本の維持電極ＳＵ１〜ＳＵｎ（図１の維持電極２３）が配列され、列方向に長いｍ本のデータ電極Ｄ１〜Ｄｍ（図１のデータ電極３２）が配列されている。そして、１対の走査電極ＳＣｉ（ｉ＝１〜ｎ）および維持電極ＳＵｉと１つのデータ電極Ｄｊ（ｊ＝１〜ｍ）とが交差した部分に放電セルが形成され、放電セルは放電空間内にｍ×ｎ個形成されている。表示電極対の数について特に制限はないが、本実施の形態においては、ｎ＝２１６０として、パネル１０を駆動する駆動方法について説明する。
【００３６】
ｎ本の走査電極ＳＣ１〜ＳＣ２１６０およびｎ本の維持電極ＳＵ１〜ＳＵ２１６０の２１６０対の表示電極対は、複数（Ｎ個）の表示電極対グループに分けられており、各表示電極対グループには、（ｎ／Ｎ）対の表示電極対が存在する。ここでＮは２以上の自然数であって、その設定上考慮すべき点については後述する。
【００３７】
（各グループのサブフィールド時間設定）
Ｎ個に分割された各表示電極対グループにおいて、サブフィールドの開始時間などをどのように設定するかについて説明する。
【００３８】
このパネル１０は、２１６０ラインに順次書き込みを行うシングルスキャン方式で駆動し、Ｎ個の表示電極対グループのうち、２つ以上の表示電極対グループの書込み期間が時間的に重ならないように、それぞれの表示電極対グループのサブフィールドの開始時間をずらして設定する点は、特許文献１に開示された駆動方法と同様であるが、パネル全体の放電セルで１回の書込み動作を行うために必要な時間をＴｗとするとき、各表示電極対グループにおける各サブフィールドの維持期間の時間を、Ｔｗ×（Ｎ−１）／Ｎ  以下の範囲内でサブフィールドの輝度重みに応じて設定している点が異なっている。言いかえると、不等式  Ｔｓ≦Ｔｗ×（Ｎ−１）／Ｎ  を満たすように維持期間の時間を設定している点が異なっている。（ここで、Ｔｓは、最も輝度重みの大きいサブフィールドの維持期間に割り当てる時間）。
【００３９】
このように設定することによって、１フィールド全体の時間内において、初期化期間を除き、Ｎ個のグループにわたって連続して書込み動作が行われるように、各表示電極対グループに対して書き込み期間を割り当てることができる。
【００４０】
この点ついて、図３のタイムチャートを参照しながら説明する。
【００４１】
時刻ｔ1〜時刻ｔ2では、第１グループに対してＳＦ１の書き込みを行い、時刻ｔ2〜時刻ｔ3では第２グループに対してＳＦ１の書き込みを行い、時刻ｔN〜時刻ｔN+1では、第Ｎグループに対してＳＦ１の書込みを行う。
【００４２】
このようにして、ＳＦ１の書き込みを、一定時間Ｔｗ／Ｎ（時刻ｔ1〜時刻ｔN+1）で行う。
【００４３】
次に、時刻ｔN+1〜時刻ｔN+1では、第１グループに対してＳＦ１の書き込みを行い、時刻ｔN+2〜時刻ｔN+3では、第２グループに対してＳＦ２の書き込みを行い、時刻ｔ2N〜時刻ｔ2N+1では、第Ｎグループに対してＳＦ２の書込みを行う。
【００４４】
このようにして、ＳＦ２の書き込みを、一定時間Ｔｗ／Ｎ（時刻ｔN+1〜時刻ｔ2N+1）で行う。
【００４５】
同様にして、ＳＦ３の書き込みを、一定時間Ｔｗ／Ｎ（時刻ｔ2N+1〜時刻ｔ3N+1）で行う。
【００４６】
一般にＫ番目のサブフィールドＳＦＫの書き込みも、一定時間Ｔｗ／Ｎ（時刻ｔ(K-1)N+1〜時刻ｔKN+1）で行う。
【００４７】
このようにして、書き込み動作を連続的に行う場合、各グループにおいて、１回の書込み動作を行う時間はＴｗ／Ｎであり、１つのサブフィールドの時間長さは一定時間Ｔｗであるから、１つのサブフィールで維持期間として割り当てることのできる最大時間は（Ｔｗ−Ｔｗ／Ｎ）＝Ｔｗ（１−１／Ｎ）である。
【００４８】
すなわち、パネル１０の駆動方法および表示電極対グループの数Ｎと、最も輝度重みの大きいサブフィールドの維持期間に割り当てる時間Ｔｓが、Ｔｓ≦Ｔｗ×（Ｎ−１）／Ｎを満たせば、連続した書込み動作を行うことができ、１フィールド期間内に、最大限の数のサブフィールドを設定することができる。
【００４９】
なお、上記不数式を変形するとＮ≧Ｔｗ／（Ｔｗ−Ｔｓ）となる。この不等式から、連続書き込みができるようにするには、表示電極対グループの数Ｎを、Ｔｗ／（Ｔｗ−Ｔｓ）以上に設定すればよいという見方もできる。
【００５０】
なお、Ｎを大きく設定するほど、Ｔｗ×（Ｎ−１）／Ｎの値は大きくなり、Ｔｗに近づく。例えば、Ｎ＝２のときはＴｗ×（Ｎ−１）／Ｎの値が１／２Ｔｗであるが、Ｎ＝３のときはＴｗ２／３、Ｎ＝４のときはＴｗ３／４とＴｗに漸近するように増加する。
【００５１】
このように、Ｎを大きく設定するほど、維持期間に割り当てる最大時間Ｔｓを大きく設定できるが、Ｎが大きくなるにつれて、Ｎの増加に対するＴｓの増加割合は減るので、Ｎの値としては２〜４が適当と考えられる。
【００５２】
以下、具体例を挙げて説明する。
【００５３】
図４は、実施の形態１にかかるパネルの駆動方法および表示電極対グループの数の設定方法について説明する図であって、パネル１０の走査電極ＳＣ１〜ＳＣ２１６０に印加する１フィールド期間の駆動電圧波形を模式的に示している。図４（ａ）〜図４（ｄ）において、縦軸は走査電極ＳＣ１〜ＳＣ２１６０を示し、横軸は時間を示している。また、書込み動作を行うタイミングを実線で示し、維持期間および消去期間のタイミングはハッチングで示している。
【００５４】
１フィールド期間の時間を１６．７ｍｓとし、１走査電極１本あたりの書込み動作に要する時間を０．７μｓとすると、走査電極の数が２１６０本であるため、すべての走査電極で書込み動作を１回行うのに必要な時間Ｔｗは、０．７×２１６０＝１５１２μｓである。
【００５５】
ここでは、表示電極対グループ数Ｎ＝２として、図２に示すように、パネルの上半分に位置する表示電極対を第１の表示電極対グループとし、パネルの下半分に位置する表示電極対を第２の表示電極対グループとする。すなわち１０８０本の走査電極ＳＣ１〜ＳＣ１０８０および１０８０本の維持電極ＳＵ１〜ＳＵ１０８０が第１の表示電極対グループに属し、１０８０本の走査電極ＳＣ１０８１〜ＳＣ２１６０および１０８０本の維持電極ＳＵ１０８１〜ＳＵ２１６０が第２の表示電極対グループに属している。
【００５６】
まず、図４（ａ）に示すように、１フィールド期間の最初に、パネル全体の放電セルで一斉に初期化放電を発生させる初期化期間を設ける。ここでは、初期化期間に要する時間を５００μｓとする。
【００５７】
次に、図４（ｂ）に示すように、走査電極ＳＣ１〜ＳＣ２１６０に走査パルスを順次印加するのに要する時間Ｔｗを見積もる。このとき、連続して書込み動作が行われるように走査パルスを可能な限り短く、かつ可能な限り連続して印加することが望ましい。
【００５８】
次に、１フィールド内に設けるサブフィールド数を見積もる。
【００５９】
ここでは、消去期間に要する時間はわずかなのでこれを無視して見積もると、１フィールド期間の時間（１６．７ｍｓ）から初期化期間の時間（０．５ｍｓ）を引いて、すべての走査電極で書込み動作を１回行うために必要な時間（１．５ｍｓ）で割った値（１６．７−０．５）／１．５＝１０．８が、１フィールド内に設けることのできるサブフィールドの数に相当する。
【００６０】
従って、図４（ｃ）に示すように、最大で１０個のサブフィールド（ＳＦ１、ＳＦ２、・・・、ＳＦ１０）を確保できることがわかる。
【００６１】
以上の考察にもとづき、図２に示したように表示電極対を２つの表示電極対グループに分ける。そして図４（ｄ）に示すように、それぞれのグループに属する走査電極の書込みの後に、維持パルスを印加する維持期間を設ける。１０サブフィールドの各々において、「６０」、「４４」、「３０」、「１８」、「１１」、「６」、「３」、「２」、「１」、「１」の維持パルスを印加することとする。
【００６２】
維持パルス幅（周期）を１０μｓとすると、最も輝度重みの大きいサブフィールド「６０」において維持期間に割り当てられる時間は６００μｓとなる。
【００６３】
この場合、Ｎ＝２、Ｔｗ＝１５１２μｓ、Ｔｓ＝６００μｓであるので、Ｔｗ×（Ｎ−１）／Ｎ＝７５６≧６００となり、上記不等式  Ｔｗ×（Ｎ−１）／Ｎ≧Ｔｓが満たされている。
【００６４】
以上のようにして、パネル１０の表示電極対グループの数Ｎや、各表示電極対グループにおけるサブフィールドの時間設定などを行うことができる。
【００６５】
なお、以上の計算では、消去期間については無視して計算したが、いずれかの表示電極対グループが消去期間であるときには、書込み動作を行わないように設定することが望ましい。これは、消去期間は壁電圧を消去するだけでなく、次の書込み期間の書込み動作に備えてデータ電極上の壁電圧を調整する期間でもあるため、消去期間においてはデータ電極の電圧を固定しておくことが望ましいからである。
【００６６】
（駆動電圧波形に関する説明）
図５は、パネル１０の各電極に印加する駆動電圧波形を示す図である。本実施の形態においては、１フィールドの最初にすべての放電セルで一斉に初期化放電を発生させる初期化期間を設け、かつそれぞれの表示電極対グループのそれぞれのサブフィールドの維持期間の後に、その維持期間で放電した放電セルに対して消去放電を発生させる消去期間を設けている。図５には、初期化期間と、第１の表示電極対グループに対するＳＦ１〜ＳＦ２およびＳＦ３の書込み期間、第２の表示電極対グループに対するＳＦ１〜ＳＦ２を示している。
【００６７】
まず、初期化期間では、データ電極Ｄ１〜Ｄｍ、維持電極ＳＵ１〜ＳＵ２１６０にそれぞれ０（Ｖ）を印加し、走査電極ＳＣ１〜ＳＣ２１６０には、維持電極ＳＵ１〜ＳＵ２１６０に対して放電開始電圧以下の電圧Ｖｉ１から、放電開始電圧を超える電圧Ｖｉ２に向かって緩やかに上昇する傾斜波形電圧を印加する。ここで、初期化期間に走査電極に印加する最高電圧Ｖ１２は、維持電圧Ｖｓの２倍以上（４００Ｖ以上）に設定することが好ましい。この傾斜波形電圧が上昇する間に、走査電極ＳＣ１〜ＳＣ２１６０と維持電極ＳＵ１〜ＳＵ２１６０、データ電極Ｄ１〜Ｄｍとの間でそれぞれ微弱な初期化放電が発生する。そして、走査電極ＳＣ１〜ＳＣ２１６０上に負の壁電圧が蓄積されるとともに、データ電極Ｄ１〜Ｄｍ上および維持電極ＳＵ１〜ＳＵ２１６０上には正の壁電圧が蓄積される。ここで、電極上の壁電圧とは電極を覆う誘電体層上、保護層上、蛍光体層上等に蓄積された壁電荷により生じる電圧を表す。
【００６８】
次に、維持電極ＳＵ１〜ＳＵ２１６０に正の電圧Ｖｅ１を印加し、走査電極ＳＣ１〜ＳＣ２１６０には、維持電極ＳＵ１〜ＳＵ２１６０に対して放電開始電圧以下となる電圧Ｖｉ３から放電開始電圧を超える電圧Ｖｉ４に向かって緩やかに下降する傾斜波形電圧を印加する。この間に、走査電極ＳＣ１〜ＳＣ２１６０と維持電極ＳＵ１〜ＳＵ２１６０、データ電極Ｄ１〜Ｄｍとの間でそれぞれ微弱な初期化放電が発生する。そして、走査電極ＳＣ１〜ＳＣ２１６０上の負の壁電圧および維持電極ＳＵ１〜ＳＵ２１６０上の正の壁電圧が弱められ、データ電極Ｄ１〜Ｄｍ上の正の壁電圧は書込み動作に適した値に調整される。その後、走査電極ＳＣ１〜ＳＣ２１６０に電圧Ｖｃを印加する。
【００６９】
以上により、すべての放電セルに対して初期化放電が行われて初期化が終了する。
【００７０】
次に第１の表示電極対グループに対するＳＦ１の書込み期間について説明する。
【００７１】
この書き込みは、シングルスキャン方式で、以下のように２１６０ラインに順次書き込みを行う。
【００７２】
維持電極ＳＵ１〜ＳＵ２１６０に正の電圧Ｖｅ２を印加する。第１の表示電極対グループに属する走査電極ＳＣ１に負の電圧Ｖａを持つ走査パルスを印加するとともに、発光すべき放電セルに対応するデータ電極Ｄｋ（ｋ＝１〜ｍ）に正の電圧Ｖｄを持つ書込みパルスを印加する。するとデータ電極Ｄｋ上と走査電極ＳＣ１上との交差部の電圧差は、外部印加電圧の差（Ｖｄ−Ｖａ）にデータ電極Ｄｋ上の壁電圧と走査電極ＳＣ１上の壁電圧の差とが加算されたものとなり放電開始電圧を超える。そして、データ電極Ｄｋと走査電極ＳＣ１との間で放電が開始し、維持電極ＳＵ１と走査電極ＳＣ１との間の放電に進展して書込み放電が発生する。その結果、走査電極ＳＣ１上に正の壁電圧が蓄積され、維持電極ＳＵ１上に負の壁電圧が蓄積され、データ電極Ｄｋ上にも負の壁電圧が蓄積される。このようにして、１ライン目に発光させるべき放電セルで書込み放電を発生して各電極上に壁電圧を蓄積する書込み動作が行われる。一方、書込みパルス電圧Ｖｄを印加しなかったデータ電極Ｄ１〜Ｄｍと走査電極ＳＣ１との交差部の電圧は放電開始電圧を超えないので、書込み放電は発生しない。
【００７３】
次に、２ライン目の走査電極ＳＣ２に走査パルスを印加するとともに、発光すべき放電セルに対応するデータ電極Ｄｋに書込みパルスを印加する。すると走査パルスと書込みパルスとが同時に印加された２ライン目の放電セルでは書込み放電が発生し、書込み動作が行われる。
【００７４】
以上の書込み動作を１０８０ライン目の放電セルに至るまで繰り返し、発光すべき放電セルに対して選択的に書込み放電を発生させ壁電荷を形成する。
【００７５】
この間、第２の表示電極対グループに属する走査電極ＳＣ１０８１〜ＳＣ２０６０には、電圧Ｖｃが、維持電極ＳＵ１０８１〜ＳＵ２０６０には電圧Ｖｅが印加されたままであり、放電の発生しない休止期間である。
【００７６】
次に第２の表示電極対グループに対するＳＦ１の書込み期間について説明する。
【００７７】
維持電極ＳＵ１〜ＳＵ２１６０には正の電圧Ｖｅ２を印加する。第２の表示電極対グループに属する走査電極ＳＣ１０８１に走査パルスを印加するとともに、発光すべき放電セルに対応するデータ電極Ｄｋ（ｋ＝１〜ｍ）に書込みパルスを印加する。するとデータ電極Ｄｋと走査電極ＳＣ１０８１との間、維持電極ＳＵ１０８１と走査電極ＳＣ１０８１との間で書込み放電が発生する。次に、走査電極ＳＣ１０８２に走査パルスを印加するとともに、発光すべき放電セルに対応するデータ電極Ｄｋに書込みパルスを印加する。すると走査パルス電圧Ｖａと書込みパルス電圧Ｖｄとが同時に印加された１０８２ライン目の放電セルで書込み放電が発生する。
【００７８】
以上の書込み動作を２１６０ライン目の放電セルに至るまで繰り返し、発光すべき放電セルに対して選択的に書込み放電を発生させ壁電荷を形成する。
【００７９】
この間は、第１の表示電極対グループに対してはＳＦ１の維持期間である。すなわち、第１の表示電極対グループに属する走査電極ＳＣ１〜ＳＣ１０８０および維持電極ＳＵ１〜ＳＵ１０８０には、「６０」の維持パルスを交互に印加して書込み放電を行った放電セルを発光させる。
【００８０】
具体的には、まず走査電極ＳＣ１〜ＳＣ１０８０に正の電圧Ｖｓをもつ維持パルスを印加するとともに維持電極ＳＵ１〜ＳＵ１０８０に０（Ｖ）を印加する。すると書込み放電を発生させた放電セルでは、走査電極ＳＣｉ上と維持電極ＳＵｉ上との電圧差が維持パルス電圧Ｖｓに走査電極ＳＣｉ上の壁電圧と維持電極ＳＵｉ上の壁電圧との差が加算されたものとなり放電開始電圧を超える。そして、走査電極ＳＣｉと維持電極ＳＵｉとの間に維持放電が発生し、このとき発生した紫外線により蛍光体層３５が発光する。そして走査電極ＳＣｉ上に負の壁電圧が蓄積され、維持電極ＳＵｉ上に正の壁電圧が蓄積される。書込み期間において書込み放電を発生させなかった放電セルでは維持放電は発生せず、初期化期間の終了時における壁電圧が保たれる。
【００８１】
続いて、走査電極ＳＣ１〜ＳＣ１０８０には０（Ｖ）を、維持電極ＳＵ１〜ＳＵ１０８０には維持パルスをそれぞれ印加する。すると、維持放電を発生した放電セルでは、維持電極ＳＵｉ上と走査電極ＳＣｉ上との電圧差が放電開始電圧を超えるので再び維持電極ＳＵｉと走査電極ＳＣｉとの間で維持放電が発生し、維持電極ＳＵｉ上に負の壁電圧が蓄積され走査電極ＳＣｉ上に正の壁電圧が蓄積される。以降同様に、走査電極ＳＣ１〜ＳＣ１０８０と維持電極ＳＵ１〜ＳＵ１０８０とに交互に維持パルスを印加し、表示電極対の電極間に電位差を与えることにより、書込み期間において書込み放電を発生した放電セルで維持放電が継続して発生し、放電セルが発光する。
【００８２】
そして、維持期間の後には消去期間が設けられている。消去期間では、走査電極ＳＣ１〜ＳＣｎと維持電極ＳＵ１〜ＳＵｎとの間にいわゆる細幅パルス状の電圧差を与えて、データ電極Ｄｋ上の正の壁電圧を残したまま、走査電極ＳＣｉおよび維持電極ＳＵｉ上の壁電圧を消去している。
【００８３】
次に第１の表示電極対グループに対するＳＦ２の書込み期間について説明する。
【００８４】
維持電極ＳＵ１〜ＳＵ２１６０に正の電圧Ｖｅ２を印加する。第１の表示電極対グループに属する走査電極ＳＣ１〜ＳＣ１０８０には、ＳＦ１の書込み期間と同様に、走査電極ＳＣ１〜ＳＣ１０８０に走査パルスを順次印加するとともに、データ電極Ｄｋに書込みパルスを印加して、１〜１０８０ライン目の放電セルで書込み動作が行われる。
【００８５】
この間は、第２の表示電極対グループに対してはＳＦ１の維持期間である。すなわち、第２の表示電極対グループに属する走査電極ＳＣ１０８１〜ＳＣ２１６０および維持電極ＳＵ１０８１〜ＳＵ２１６０には、「６０」の維持パルスを交互に印加して書込み放電を行った放電セルを発光させる。
【００８６】
そして、維持期間の後の消去期間では、走査電極ＳＣ１０８１〜ＳＣ２１６０と維持電極ＳＵ１０８１〜ＳＵ２１６０との間に細幅パルス状の電圧差を与えて、データ電極Ｄｋ上の正の壁電圧を残したまま、走査電極ＳＣｉ上および維持電極ＳＵｉ上の壁電圧を消去している。
【００８７】
以降同様に、第２の表示電極対グループに対するＳＦ２の書込み期間、第１の表示電極対グループに対するＳＦ３の書込み期間、・・・、第２の表示電極対グループに対するＳＦ１０の書込み期間と続き、最後に第２の表示電極対グループに対するＳＦ１０の維持期間および消去期間と続いて１フィールドを終える。
【００８８】
（本実施形態の駆動方法による効果）
以上説明したように、本実施の形態の駆動方法においては、各表示電極対グループにおける各サブフィールドの維持期間の時間を、Ｔｗ×（Ｎ−１）／Ｎ  以下の範囲内でサブフィールドの輝度重みに応じて設定しているので、初期化期間の後に、いずれかの表示電極対グループで連続して書込み動作を行うように走査パルス及び書込みパルスを配置することができる。その結果、１フィールド期間内に１０個のサブフィールド、すなわち１フィールド期間内に設定可能な最大数のサブフィール数を設定することができる。
【００８９】
なお、ライン数の少ないパネルでは、すべての走査電極で書込み動作を１回行うために必要な時間Ｔｗが短いので、各サブフィールドにおいてＴｗ×（Ｎ−１）／Ｎ以下の範囲内で設定可能な維持期間は短くなってしまうが、ライン数１０８０本以上の高精細パネルにおいては、すべての走査電極で書込み動作を１回行うために必要な時間Ｔｗが長くなり、Ｔｗ×（Ｎ−１）／Ｎの時間も長くなり、各サブフィールドに割り当て可能な維持期間の最大時間Ｔｓも長くなる。従って、本実施形態の駆動方法は、高精細パネルを駆動する場合に特に有用である。
【００９０】
また、本実施の形態の駆動方法においては、１フィールドの最初にすべての放電セルで一斉に初期化放電を発生させる初期化期間を設けており、各サブフィールドごとには、初期化期間は設けていない。これによって、各サブフィールドごとに初期化期間を設ける場合と比べると、１フィールド内に占める初期化期間の時間を大幅に短縮できるので、１フィールド内に設けるサブフィールド数を増やすのに寄与する。
【００９１】
なお、上記のような高電圧（維持電圧のＶｓの２倍以上）の全セル初期化パルス、特に図５に示すような傾斜波形部分を有する全セル初期化パルスを、１フィールドの最初に印加すれば、各サブフィールドごとに、初期化パルスを印加しなくても、消去パルスを印加することによって、各放電セルの壁電荷を十分制御することができる。
【００９２】
また本実施の形態においては、最後に第２の表示電極対グループに対する維持期間および消去期間で１フィールドを終える。従って、図４に示す例のように、最後のサブフィールドに、輝度重みの最も小さいサブフィールドを配置すれば、駆動時間を短縮することもできる。
【００９３】
このように最後のサブフィールドにおける駆動時間を短縮できることは、１フィールド内に設けるサブフィールド数を増やすのに寄与する。
【００９４】
なお以上の説明では、消去期間では走査電極と維持電極との間に細幅パルス状の電圧差を与えて消去動作を行うものとし、いずれかの表示電極対グループが消去期間であっても、書込み動作を行うものとして、消去期間に要する時間を無視してサブフィールド構成および表示電極対グループの数を設定したが、消去動作を行うにはある程度の時間が必要なので、上述したように、いずれかの表示電極対グループが消去期間であるときには書込み動作を行わないよう考慮しながら設定することが望ましい。
【００９５】
（消去期間に関するバリエーション）
図６は、消去期間に各電極に印加する駆動電圧波形のバリエーションを示す図である。図６（ａ）に示した駆動電圧波形は、消去期間において、走査電極ＳＣｉと維持電極ＳＵｉとの間に細幅パルス状の電圧差を与えた後、緩やかに下降する傾斜波形電圧を走査電極ＳＣｉに印加する。この駆動波形によれば、消去期間に要する時間は増加するものの、各電極上の壁電圧を精度よく制御することができる。
【００９６】
また、図６（ｂ）に示した駆動電圧波形は、消去期間において、緩やかに上昇する傾斜波形電圧を走査電極ＳＣｉに印加した後、緩やかに下降する傾斜波形電圧を走査電極ＳＣｉに印加する。この駆動波形によれば、さらに、消去期間に要する時間が増加するものの、各電極上の壁電圧を精度よく制御することができる。
【００９７】
図７は、駆動電圧波形のサブフィールド構成を示す模式図であり、縦軸は走査電極ＳＣ１〜ＳＣ２１６０を示し、横軸は時間を示している。また、書込み動作を行うタイミングを実線で示し、維持期間および消去期間のタイミングはハッチングで示している。図７（ａ）は維持期間の直後に消去期間を設けた場合の駆動電圧波形を示しており、第１の表示電極対グループが消去期間であるときには第２の表示電極対グループの書込み動作を行わず、第２の表示電極対グループが消去期間であるときには第１の表示電極対グループの書込み動作を行わない。また、図７（ｂ）は書込み期間の直前に、前のサブフィールドの消去期間を設けた場合の駆動電圧波形を示しており、第１の表示電極対グループが消去期間であるときには第２の表示電極対グループの書込み動作を行わず、第２の表示電極対グループが消去期間であるときには第１の表示電極対グループの書込み動作を行わない。
【００９８】
このように、いずれかの表示電極対グループが消去期間であるときに書込み動作を行わない場合には、消去期間に要する時間を見込んでサブフィールド構成および表示電極対のグループ数Ｎを設定すればよい。
【００９９】
（プラズマディスプレイ装置１００の回路構成）
図８は、プラズマディスプレイ装置１００の回路ブロック図である。
【０１００】
プラズマディスプレイ装置１００は、パネル１０、画像信号処理回路４１、データ電極駆動回路４２、走査電極駆動回路４３ａ，４３ｂ、維持電極駆動回路４４ａ、４４ｂ、タイミング発生回路４５および各回路ブロックに必要な電源を供給する電源回路（図示せず）を備えている。
【０１０１】
画像信号処理回路４１は、画像信号を、サブフィールド毎の発光・非発光を示す画像データに変換する。データ電極駆動回路４２は、ｍ本のデータ電極Ｄ１〜Ｄｍのそれぞれに書込みパルス電圧Ｖｄまたは０（Ｖ）を印加するためのｍ個のスイッチを備えている。そして画像信号処理回路４１から出力された画像データを各データ電極Ｄ１〜Ｄｍに対応する書込みパルスに変換し、各データ電極Ｄ１〜Ｄｍに印加する。
【０１０２】
タイミング発生回路４５は水平同期信号、垂直同期信号を基にして各回路の動作を制御する各種のタイミング信号を発生して各回路に供給する。
【０１０３】
タイミング発生回路４５は、垂直同期信号Ｖから一定時間経過した時点でフィールド開始信号を生成し、このフィールド開始信号を起点に各サブフィールドの初期化期間、アドレス期間、維持期間の開始を指示するタイミング信号を生成する。さらに、各期間の開始を指示するタイミング信号を起点としてクロックをカウントすることにより、各駆動回路４２、４３ａ，４３ｂ，４４ａ，４４ｂにパルス発生のタイミングを指示するタイミング信号を生成して、各駆動回路に出力する。
【０１０４】
走査電極駆動回路４３ａはタイミング信号に基づいて、走査電極ＳＣ１〜ＳＣ１０８０を駆動し、走査電極駆動回路４３ｂはタイミング信号に基づいて、走査電極ＳＣ１０８１〜ＳＣ２１６０を駆動する。また維持電極駆動回路４４ａはタイミング信号に基づいて維持電極ＳＵ１〜ＳＵ１０８０を駆動し、維持電極駆動回路４４ｂはタイミング信号に基づいて、維持電極ＳＵ１０８１〜ＳＵ２１６０を駆動する。
【０１０５】
図９は、プラズマディスプレイ装置１００の走査電極駆動回路４３ａの回路図である。走査電極駆動回路４３ａは、維持パルス発生回路５０、初期化波形発生回路６０、走査パルス発生回路７０を備えている。
【０１０６】
維持パルス発生回路５０は、電力回収部を構成する電力回収用のコンデンサＣ５１、スイッチング素子Ｑ５１，Ｑ５２、逆流防止用のダイオードＤ５１，Ｄ５２、共振用のインダクタＬ５１を有し、さらに電圧クランプ部を構成するスイッチング素子Ｑ５５，Ｑ５６を有している。そして走査電極ＳＣ１〜ＳＣ１０８０に維持パルスを印加する。
【０１０７】
電力回収部では、表示電極間の電極間容量とインダクタＬ５１とをＬＣ共振させて維持パルスの立ち上がりおよび立ち下がり動作を行う。維持パルスの立ち上がり時には、電力回収用のコンデンサＣ５１に蓄えられている電荷をスイッチング素子Ｑ５１、ダイオードＤ５１およびインダクタＬ５１を介して電極間容量に移動する。維持パルスの立ち下がり時には、電極間容量に蓄えられた電荷を、インダクタＬ５１、ダイオードＤ５２およびスイッチング素子Ｑ５２を介して電力回収用のコンデンサＣ５１に戻す。このように、電力回収部はＬＣ共振を用いて表示電極の駆動を行うため、理想的には電源からほとんど電力供給されることなく、消費電力０で駆動できる。
【０１０８】
なお、電力回収用のコンデンサＣ５１は電極間容量に比べて十分に大きい容量を持ち、電力回収部の電源として働くように、電圧Ｖｓの半分の約Ｖｓ／２に充電されている。
【０１０９】
電圧クランプ部においては、スイッチング素子Ｑ５５を介して表示電極を電源に接続して電圧Ｖｓにクランプしたり、また、スイッチング素子Ｑ５６を介して表示電極を接地して０（Ｖ）にクランプする。従って、電圧クランプ部による電圧印加時のインピーダンスは小さく、強い維持放電による大きな放電電流を安定して流すことができる。
【０１１０】
こうして維持パルス発生回路５０は、スイッチング素子Ｑ５１，Ｑ５２，Ｑ５５，Ｑ５６を制御することによって、走査電極ＳＣ１〜ＳＣ１０８０に維持パルスを印加する。なお、これらのスイッチング素子は、ＭＯＳＦＥＴやＩＧＢＴ等の一般に知られた素子を用いて構成することができる。
【０１１１】
初期化波形発生回路６０は、初期化期間において走査電極ＳＣ１〜ＳＣ１０８０に緩やかに上昇する傾斜波形電圧を印加するためのミラー積分回路６１と、緩やかに下降する傾斜波形電圧を印加するためのミラー積分回路６２とを備えている。ここでスイッチング素子Ｑ６３、Ｑ６４は分離スイッチであり、維持パルス発生回路５０および初期化波形発生回路６０を構成するスイッチング素子の寄生ダイオードを介して電流が逆流するのを防止するために設けられている。
【０１１２】
このような初期化波形発生回路６０によって、最高電圧４００Ｖ以上の初期化パルスを、走査電極ＳＣ１〜ＳＣ１０８０に一括して印加することができる。
【０１１３】
走査パルス発生回路７０は、必要に応じて走査電圧Ｖａを走査電極ＳＣ１に印加するためのスイッチング素子Ｑ７１Ｈ１およびＱ７１Ｌ１と、走査電極ＳＣ２に印加するためのスイッチング素子Ｑ７１Ｈ２およびＱ７１Ｌ２と、・・・、走査電極ＳＣ１０８０に印加するためのスイッチング素子Ｑ７１Ｈ１０８０およびＱ７１Ｌ１０８０とを有する。そして走査電極ＳＣ１〜ＳＣ１０８０に上述したタイミングで走査電圧Ｖａを順次印加する。
【０１１４】
図１０は、プラズマディスプレイ装置１００における維持電極駆動回路４４ａの回路図である。維持電極駆動回路４４ａは、維持パルス発生回路８０、一定電圧発生回路９０を備えている。
【０１１５】
維持パルス発生回路８０は、維持パルス発生回路５０と同様の構成であり、電力回収部を構成する電力回収用のコンデンサＣ８１、スイッチング素子Ｑ８１、Ｑ８２、逆流防止用のダイオードＤ８１、Ｄ８２、共振用のインダクタＬ８１を有し、さらに電圧クランプ部を構成するスイッチング素子Ｑ８５、Ｑ８６を有している。そして維持電極ＳＵ１〜ＳＵ１０８０に維持パルスを印加する。
【０１１６】
一定電圧発生回路９０は、スイッチング素子Ｑ９１と逆流防止用のダイオードＤ９１とを有し、初期化期間において正の電圧Ｖｅ１を維持電極ＳＵ１〜ＳＵ１０８０に印加する。また、スイッチング素子Ｑ９２と逆流防止用のダイオードＤ９２とを有し、書込み期間において維持電極ＳＵ１〜ＳＵ１０８０に正の電圧Ｖｅ１を印加する。
【０１１７】
なお、走査電極駆動回路４３ｂは走査電極駆動回路４３ａと同様の構成であり、維持電極駆動回路４４ｂは維持電極駆動回路４４ａと同様の構成であるため説明を省略する。
【０１１８】
[実施の形態２]
上記実施の形態１の具体例では、表示電極対グループ数Ｎが２の場合について説明したが、表示電極対グループ数Ｎをもっと大きく設定する場合について説明する。
【０１１９】
本実施の形態においても、実施の形態１と同様に、シングルスキャン方式で書き込み駆動を行い、１フィールド期間の時間を１６．７ｍｓとした。また初期化期間に要する時間を５００μｓ、１走査電極１本あたりの書込み動作に要する時間を０．７μｓとする。すべての走査電極で書込み動作を１回行うために必要な時間Ｔｗは１５１２μｓであり、連続して書込み動作を行うことによって、１フィールドに１０個のサブフィールド確保できる点も実施の形態１と同様である。
【０１２０】
ただし、本実施形態では，各サブフィールドにおいて、印加する維持パルスの数は、「１１０」、「８１」、「５５」、「３３」、「２０」、「１１」、「６」、「４」、「２」、「１」とする。維持パルス周期を１０μｓとすると、維持パルスを印加する維持期間の最大時間Ｔｓは、１０×１１０＝１１００μｓである。
【０１２１】
すべての走査電極で書込み動作を１回行うために必要な時間Ｔｗと、維持パルス印加に割り当て可能な最大時間Ｔｓに基づいて、数式Ｎ≧Ｔｗ／（Ｔｗ−Ｔｓ）を満たすようにＮを決めるとすると、Ｔｗ／（Ｔｗ−Ｔｓ）＝１５１２／（１５１２−１１００）＝３．６７なので、表示電極対グループ数Ｎを４以上に設定すれば、Ｎ≧Ｔｗ／（Ｔｗ−Ｔｓ）が満たされる（Ｔｓ≦Ｔｗ×（Ｎ−１）／Ｎも満たされる）。
【０１２２】
従って本実施形態では、表示電極対グループ数Ｎを４に設定する。
【０１２３】
図１１は、実施の形態２にかかるパネル１０の電極配列図である。
【０１２４】
パネルを上下方向に４分割して４つの表示電極対グループに分け、パネルの上部に位置する表示電極対から順に、第１の表示電極対グループ、第２の表示電極対グループ、第３の表示電極対グループ、第４の表示電極対グループとしている。すなわち、走査電極ＳＣ１〜ＳＣ５４０および維持電極ＳＵ１〜ＳＵ５４０が第１の表示電極対グループに属し、走査電極ＳＣ５４１〜ＳＣ１０８０および維持電極ＳＵ５４１〜ＳＵ１０８０が第２の表示電極対グループに属し、走査電極ＳＣ１０８１〜ＳＣ１６２０および維持電極ＳＵ１０８１〜ＳＵ１６２０が第３の表示電極対グループに属し、走査電極ＳＣ１６２１〜ＳＣ２１６０および維持電極ＳＵ１６２１〜ＳＵ２１６０が第４の表示電極対グループに属している。
【０１２５】
図１２は、実施の形態２にかかる駆動電圧波形のサブフィールド構成を示す模式図であり、縦軸は走査電極ＳＣ１〜ＳＣ２１６０を示し、横軸は時間を示している。また、書込み動作を行うタイミングを実線で示し、維持期間および消去期間のタイミングはハッチングで示している。
【０１２６】
実施の形態１と比べると、表示電極対のグループ数Ｎが増えており、Ｔｗ×（Ｎ−１）／Ｎの値が大きいので、その分、維持期間に割り当て可能な時間Ｔｓは長くなる。
【０１２７】
従って、維持期間に表示電極対に印加する維持パルス数を増やすことができ、パネルの発光輝度を高めることができる。
【０１２８】
また本実施形態においては、消去期間を次のサブフィールドの書込み期間の直前に設けている。そして、初期化期間およびそれぞれの消去期間を除くフィールド期間にいずれかの表示電極対グループで連続して書込み動作を行うように駆動している。加えて、維持期間が消去期間の直前で終了するように、書込み期間と維持期間との間に放電を発生させない期間を設けている。このように維持期間の直後に消去期間を設けることで、維持放電で発生したプライミングを利用して消去放電を行うことができ、安定した消去動作を行うことができる。
【０１２９】
（変形例など）
なお、以上の実施の形態１，２において用いた具体的な各数値は、単に一例を挙げたに過ぎず、パネルの特性やプラズマディスプレイ装置の仕様等に合わせて、適宜最適な値に設定することが望ましい。
【０１３０】
また、上記実施の形態１，２においては、２１６０ラインに順次書き込みを行うシングルスキャン方式で駆動する例について説明したが、例えば、４３２０ラインを備える公知のデュアル駆動方式のパネルにおいて、分割された２つの各領域に対して、上記実施の形態で説明した駆動方法を適用することもできる。これによって、４３２０ラインの超高精細ＰＤＰを実現することができる。その場合、各領域ごとにドライバが必要であるが、比較的容易に超高精細ＰＤＰを実現できる。
【産業上の利用可能性】
【０１３１】
本発明によれば、２１６０ライン以上の超高精細パネルであっても、シングルスキャン方式で駆動し、且つ画質を確保するための十分なサブフィールド数を確保することができ、十分な輝度で駆動することができるので、高精細のプラズマディスプレイ装置を高輝度で駆動する上で有用である。
【符号の説明】
【０１３２】
１０    パネル
２２    走査電極
２３    維持電極
２４    表示電極対
３２    データ電極
４１    画像信号処理回路
４２    データ電極駆動回路
４３ａ，４３ｂ    走査電極駆動回路
４４ａ，４４ｂ    維持電極駆動回路
４３    表示電極対駆動回路
４５    タイミング発生回路
１００    プラズマディスプレイ装置
【図１】
2009133660.tif 000003
【図２】
2009133660.tif 000004
【図３】
2009133660.tif 000005
【図４】
2009133660.tif 000006
【図５】
2009133660.tif 000007
【図６】
2009133660.tif 000008
【図７】
2009133660.tif 000009
【図８】
2009133660.tif 000010
【図９】
2009133660.tif 000011
【図１０】
2009133660.tif 000012
【図１１】
2009133660.tif 000013
【図１２】
2009133660.tif 000014
【手続補正書】
【提出日】平成22年10月25日(2010.10.25)
【手続補正１】
【補正対象書類名】明細書
【補正対象項目名】全文
【補正方法】変更
【補正の内容】
【書類名】      明細書
【発明の名称】プラズマディスプレイパネルの駆動方法およびプラズマディスプレイ装置
【技術分野】
【０００１】
本発明は、プラズマディスプレイパネルの駆動方法およびプラズマディスプレイ装置に関し、特にパネル構造が高精細なものに関する。
【背景技術】
【０００２】
プラズマディスプレイパネル（以下、「パネル」と略記する）として代表的な交流面放電型パネルは、対向配置された前面基板と背面基板との間に多数の放電セルが形成されている。
【０００３】
前面基板には走査電極と維持電極とからなる表示電極対が互いに平行に複数対形成され、背面基板にはデータ電極が平行に複数形成されている。そして、表示電極対とデータ電極とが立体交差するように前面基板と背面基板とが対向配置されて密封され、内部の放電空間には放電ガスが封入されている。ここで表示電極対とデータ電極との対向する部分に放電セルが形成される。
【０００４】
パネルを駆動する方法としては、１フィールドを、輝度重み付けされた複数のサブフィールドに分割した上で、発光させるサブフィールドの組み合わせによって階調表示を行うサブフィールド法が用いられる。各サブフィールドは、初期化期間、書込み期間および維持期間を有する。初期化期間では初期化放電を発生し、続く書込み動作に必要な壁電荷を形成する。書込み期間では、表示する画像に応じて選択的に放電セルで書込み放電を発生し壁電荷を形成する。そして維持期間では、走査電極と維持電極とからなる表示電極対に交互に維持パルスを印加して輝度重みに応じた時間だけ維持放電を発生させ、対応する放電セルの蛍光体層を発光させることにより画像表示を行う。
【０００５】
サブフィールド法の中でも、書込み期間と維持期間とを時間的に完全に分離した、書込み・維持分離方式（ＡＤＳ方式）が一般的に用いられている。ＡＤＳ方式は、書込み放電を発生させる放電セルと維持放電を発生させる放電セルとが共存する時間帯が存在しないので、書込み期間には書込み放電に最適な条件で、維持期間には維持放電に最適な条件でパネルを駆動することができる。そのため放電制御が比較的簡単であり、またパネルの駆動マージンも大きく設定することができる。
【０００６】
その反面、ＡＤＳ方式では、書込み期間を除く期間に維持期間を設定するため、パネルの高精細度化等に伴って書込み期間に要する時間が長くなると、十分な輝度を確保しながら、画質を確保する上で十分なサブフィールド数を確保することが難しくなるという問題があった。
【０００７】
このような問題を解決するために、例えば、特許文献１には、表示電極対を複数のグループに分け、複数のブロックのうち２つ以上のブロックの書込み期間が時間的に重ならないように、それぞれのブロックのサブフィールドの開始時間をずらして設定した駆動方法が開示されている。
【０００８】
この駆動方法によれば、あるグループの書き込み期間に他のグループの維持期間を重ねて駆動することができるので、１サブフィールドの駆動時間を短縮でき、その分、１フィールド内に設定するサブフィールド数を増やすことができる。
【先行技術文献】
【特許文献１】特開２００５−１５７３３８号公報
【発明の概要】
【発明が解決しようとする課題】
【０００９】
しかしながら、特許文献１にも記載されているように、駆動時間は、ブロックの数、走査電極数、サブフィールド数、維持パルス数、書込み放電および維持放電に要する時間等の諸条件にも依存しており、単に２つ以上のブロックの書込み期間が時間的に重ならないようにサブフィールドの開始時間をずらすだけでは、必ずしも十分なサブフィールド数を確保できるとはいえない。
【００１０】
また、パネルにおいて、更なる高精細度化が進められており、例えば２１６０ラインあるいは４３２０ラインといった超高精細度のパネルを駆動する方法が望まれているが、高精細度化に伴って書込み期間に要する時間が長くなるので、十分な輝度を確保しながら、サブフィールド数を十分に確保することが難しくなっている。
【００１１】
本発明は、このような課題に鑑みてなされたものであり、超高精細度パネルであっても、十分な画質を確保するのに必要なサブフィールド数を１フィールド内に設定することができ、且つ十分な輝度を確保できるパネルの駆動方法およびパネル装置を提供することを目的とする。
【課題を解決するための手段】
【００１２】
上記目的を達成するために本発明は、走査電極と維持電極とで構成された表示電極対を複数備えるとともに複数のデータ電極を備え、表示電極対とデータ電極とが交差する位置のそれぞれに放電セルを構成したパネルを駆動する上で、複数の表示電極対を複数の表示電極対グループに分け、表示電極対グループ毎に、放電セルで書込み放電を発生させる書込み期間と放電セルで維持放電を発生させる維持期間とを有する複数のサブフィールドを用いて１フィールド期間を分割し、表示電極対グループの数をＮ、パネル全体の放電セルで１回の書込み動作を行うために必要な時間をＴｗ、各表示電極対グループにおける各サブフィールドの維持期間の時間を、Ｔｗ×（Ｎ−１）／Ｎ以下の範囲でサブフィールドの輝度重みに応じて設定した駆動を行うこととした。
ここで、上記「書込み動作」は、パネル全体に存在する複数の表示電極対に対して順次書き込みを行うシングルスキャン方式による書き込みを指すこととする。このシングルスキャン方式では、複数の表示電極対グループの各々に対する書き込み期間は互いに重なることがない。すなわち同時に２つ以上の表示電極対グループに対して書き込みは行わない。
【００１３】
上記Ｔｗも「パネル全体の放電セルに対して、シングルスキャン方式によって１回の書込み動作を行うために必要な時間」を意味する。
上記発明において、１フィールドの最初に各放電セルで初期化放電を発生させる初期化期間を設け、且つ各表示電極対グループの各サブフィールドの維持期間の後に、その維持期間で放電した放電セルに対して消去放電を発生させる消去期間を設けることが望ましい。
【００１４】
そして、１フィールドの中で、初期化期間および各サブフィールドの消去期間を除く期間に、いずれかの表示電極対グループで連続して書込み動作が行われるようにすることが好ましい。
【００１５】
ここで、上記初期化期間において、複数の表示電極対を構成する各走査電極に対して、一括して初期化パルスを印加することが好ましい。
また、初期化期間に走査電極に印加する初期化パルスの最高電圧は、維持期間に複数の表示電極対に印加する維持電圧の２倍以上であることが好ましい。
【００１６】
また、１フィールド期間に含まれる複数のサブフィールドの中で、輝度重みの最も小さいサブフィールドを最後に配置することが好ましい。
【発明の効果】
【００１７】
上記本発明によれば、各表示電極対グループにおける各サブフィールドの維持期間の時間が、Ｔｗ×（Ｎ−１）／Ｎ以下の範囲内で輝度重みに応じて設定されているので、１フィールドの中で、初期化期間および各サブフィールドの消去期間を除く期間に、いずれかの表示電極対グループで連続して書込み動作を行うことができる。
【００１８】
従って、超高精細度パネルであっても、画質を確保する上で十分なサブフィールド数を確保することができる。
なお、Ｎは２以上の整数であるが、このＮを大きく設定するほど、維持期間の時間長さを大きく設定できることになる。
【００１９】
ここで、１フィールドの最初に各放電セルで初期化放電を発生させる初期化期間を設け、且つ各表示電極対グループの各サブフィールドの維持期間の後に、その維持期間で放電した放電セルに対して消去放電を発生させる消去期間を設けるようにすれば、各サブフィールドごとに初期化期間を設ける場合と比べて、１フィールド内に占める初期化期間の時間を短縮できるので、１フィールド内に設けるサブフィールド数を増やすのに寄与する。
【００２０】
上記初期化期間において、複数の表示電極対を構成する各走査電極に対して、一括して初期化パルスを印加すれば、初期化パルスの最高電圧を高く設定することができる。
そして、初期化期間に走査電極に印加する初期化パルスの最高電圧は、維持期間に複数の表示電極対に印加する維持電圧の２倍以上に設定すれば、各サブフィールドごとに初期化パルスを印加しなくても、維持期間の後に消去期間を設けるだけで、各放電セルの状態を初期化できる。
【００２１】
上記本発明において、１フィールド期間に含まれる複数のサブフィールドの中で、輝度重みの最も小さいサブフィールドを最後に配置すれば、最後のサブフィールドの時間長さを短縮できるので、１フィールド内に設定するサブフィールド数を増やすのに寄与する。
高精細（ライン数１０８０以上）、特にライン数２１６０ライン以上の超高精細のパネルにおいては、Ｔｗの時間が長くなり、Ｔｗ×（Ｎ−１）／Ｎの時間も長くなるので、Ｔｗ×（Ｎ−１）／Ｎ以下の条件で、各サブフィールの維持期間を比較的長く設定することができる。従って、本発明は特に高精細のパネルに対して有効である。
【図面の簡単な説明】
【００２２】
【図１】  実施の形態１に用いるパネルの構造を示す分解斜視図である。
【図２】  同パネルの電極配列図である。
【図３】  Ｎ個の各表示電極対グループに対して、書き込み期間、維持期間の割り当てを説明するタイムチャートである。
【図４】  実施の形態１にかかる駆動方法および表示電極対の数の設定方法について説明する図である。
【図５】  実施の形態１にかかるパネルの各電極に印加する駆動電圧波形を示す図である。
【図６】  実施の形態において、消去期間に各電極に印加する駆動電圧波形のバリエーションを示す図である。
【図７】  実施の形態にかかる駆動電圧波形のサブフィールド構成を示す模式図である。
【図８】  実施の形態１かかるプラズマディスプレイ装置の回路ブロック図である。
【図９】  同プラズマディスプレイ装置の走査電極駆動回路の回路図である。
【図１０】  同プラズマディスプレイ装置の維持電極駆動回路の回路図である。
【図１１】  実施の形態２に用いるパネルの電極配列図である。
【図１２】  実施の形態２にかかる駆動電圧波形のサブフィールド構成を示す模式図である。
【発明を実施するための形態】
【００２３】
本発明の実施の形態にかかるパネル及びその駆動方法について、図面を用いて説明する。
[実施の形態１]
(パネル構造)
図１は、実施の形態１に用いるパネル１０の構造を示す分解斜視図である。ガラス製の前面基板２１上には、走査電極２２と維持電極２３とで構成された表示電極対２４が複数形成されている。表示電極対２４を形成する走査電極２２と維持電極２３との間の放電ギャップで放電を発生させ、光を取り出すために、走査電極２２は幅の広い透明電極２２ａを有し、維持電極２３も幅の広い透明電極２３ａを有している。そして透明電極２２ａ、２３ａの上の放電ギャップから遠い位置に幅の狭いバス電極２２ｂ、２３ｂが積層されている。隣接する表示電極対２４の間には、光を遮断するブラックストライプ２９が設けられている。そして走査電極２２と維持電極２３とブラックストライプ２９とを覆うように誘電体層２５が形成され、その誘電体層２５上に保護層２６が形成されている。
【００２４】
背面基板３１上にはデータ電極３２が複数形成され、データ電極３２を覆うように誘電体層３３が形成され、さらにその上に井桁状の隔壁３４が形成されている。そして、隔壁３４の側面および誘電体層３３上には赤色、緑色および青色の各色に発光する蛍光体層３５が設けられている。
【００２５】
これら前面基板２１と背面基板３１とは、微小な放電空間を挟んで表示電極対２４とデータ電極３２とが交差するように対向配置され、その外周部をガラスフリット等の封着材によって封着されている。そして放電空間には、例えばネオンとキセノンの混合ガスが放電ガスとして封入されている。放電空間は隔壁３４によって複数の区画に仕切られており、表示電極対２４とデータ電極３２とが交差する位置のそれぞれに放電セルが構成されている。そしてこれらの放電セルが放電、発光することにより画像が表示される。
【００２６】
なお、パネル１０の構造は上述したものに限られるわけではなく、例えばストライプ状の隔壁を備えたものであってもよい。
図２は、実施の形態１に用いるパネル１０の電極配列図である。パネル１０には、行方向（ライン方向）に長いｎ本の走査電極ＳＣ１〜ＳＣｎ（図１の走査電極２２）およびｎ本の維持電極ＳＵ１〜ＳＵｎ（図１の維持電極２３）が配列され、列方向に長いｍ本のデータ電極Ｄ１〜Ｄｍ（図１のデータ電極３２）が配列されている。そして、１対の走査電極ＳＣｉ（ｉ＝１〜ｎ）および維持電極ＳＵｉと１つのデータ電極Ｄｊ（ｊ＝１〜ｍ）とが交差した部分に放電セルが形成され、放電セルは放電空間内にｍ×ｎ個形成されている。表示電極対の数について特に制限はないが、本実施の形態においては、ｎ＝２１６０として、パネル１０を駆動する駆動方法について説明する。
【００２７】
ｎ本の走査電極ＳＣ１〜ＳＣ２１６０およびｎ本の維持電極ＳＵ１〜ＳＵ２１６０の２１６０対の表示電極対は、複数（Ｎ個）の表示電極対グループに分けられており、各表示電極対グループには、（ｎ／Ｎ）対の表示電極対が存在する。ここでＮは２以上の自然数であって、その設定上考慮すべき点については後述する。
【００２８】
（各グループのサブフィールド時間設定）
Ｎ個に分割された各表示電極対グループにおいて、サブフィールドの開始時間などをどのように設定するかについて説明する。
【００２９】
このパネル１０は、２１６０ラインに順次書き込みを行うシングルスキャン方式で駆動し、Ｎ個の表示電極対グループのうち、２つ以上の表示電極対グループの書込み期間が時間的に重ならないように、それぞれの表示電極対グループのサブフィールドの開始時間をずらして設定する点は、特許文献１に開示された駆動方法と同様であるが、パネル全体の放電セルで１回の書込み動作を行うために必要な時間をＴｗとするとき、各表示電極対グループにおける各サブフィールドの維持期間の時間を、Ｔｗ×（Ｎ−１）／Ｎ  以下の範囲内でサブフィールドの輝度重みに応じて設定している点が異なっている。言いかえると、不等式  Ｔｓ≦Ｔｗ×（Ｎ−１）／Ｎ  を満たすように維持期間の時間を設定している点が異なっている。（ここで、Ｔｓは、最も輝度重みの大きいサブフィールドの維持期間に割り当てる時間）。
【００３０】
このように設定することによって、１フィールド全体の時間内において、初期化期間を除き、Ｎ個のグループにわたって連続して書込み動作が行われるように、各表示電極対グループに対して書き込み期間を割り当てることができる。
【００３１】
この点ついて、図３のタイムチャートを参照しながら説明する。
時刻ｔ1〜時刻ｔ2では、第１グループに対してＳＦ１の書き込みを行い、時刻ｔ2〜時刻ｔ3では第２グループに対してＳＦ１の書き込みを行い、時刻ｔN〜時刻ｔN+1では、第Ｎグループに対してＳＦ１の書込みを行う。
【００３２】
このようにして、ＳＦ１の書き込みを、一定時間Ｔｗ／Ｎ（時刻ｔ1〜時刻ｔN+1）で行う。
次に、時刻ｔN+1〜時刻ｔN+1では、第１グループに対してＳＦ１の書き込みを行い、時刻ｔN+2〜時刻ｔN+3では、第２グループに対してＳＦ２の書き込みを行い、時刻ｔ2N〜時刻ｔ2N+1では、第Ｎグループに対してＳＦ２の書込みを行う。
【００３３】
このようにして、ＳＦ２の書き込みを、一定時間Ｔｗ／Ｎ（時刻ｔN+1〜時刻ｔ2N+1）で行う。
同様にして、ＳＦ３の書き込みを、一定時間Ｔｗ／Ｎ（時刻ｔ2N+1〜時刻ｔ3N+1）で行う。
【００３４】
一般にＫ番目のサブフィールドＳＦＫの書き込みも、一定時間Ｔｗ／Ｎ（時刻ｔ(K-1)N+1〜時刻ｔKN+1）で行う。
このようにして、書き込み動作を連続的に行う場合、各グループにおいて、１回の書込み動作を行う時間はＴｗ／Ｎであり、１つのサブフィールドの時間長さは一定時間Ｔｗであるから、１つのサブフィールで維持期間として割り当てることのできる最大時間は（Ｔｗ−Ｔｗ／Ｎ）＝Ｔｗ（１−１／Ｎ）である。
【００３５】
すなわち、パネル１０の駆動方法および表示電極対グループの数Ｎと、最も輝度重みの大きいサブフィールドの維持期間に割り当てる時間Ｔｓが、Ｔｓ≦Ｔｗ×（Ｎ−１）／Ｎを満たせば、連続した書込み動作を行うことができ、１フィールド期間内に、最大限の数のサブフィールドを設定することができる。
【００３６】
なお、上記不数式を変形するとＮ≧Ｔｗ／（Ｔｗ−Ｔｓ）となる。この不等式から、連続書き込みができるようにするには、表示電極対グループの数Ｎを、Ｔｗ／（Ｔｗ−Ｔｓ）以上に設定すればよいという見方もできる。
【００３７】
なお、Ｎを大きく設定するほど、Ｔｗ×（Ｎ−１）／Ｎの値は大きくなり、Ｔｗに近づく。例えば、Ｎ＝２のときはＴｗ×（Ｎ−１）／Ｎの値が１／２Ｔｗであるが、Ｎ＝３のときはＴｗ２／３、Ｎ＝４のときはＴｗ３／４とＴｗに漸近するように増加する。
【００３８】
このように、Ｎを大きく設定するほど、維持期間に割り当てる最大時間Ｔｓを大きく設定できるが、Ｎが大きくなるにつれて、Ｎの増加に対するＴｓの増加割合は減るので、Ｎの値としては２〜４が適当と考えられる。
【００３９】
以下、具体例を挙げて説明する。
図４は、実施の形態１にかかるパネルの駆動方法および表示電極対グループの数の設定方法について説明する図であって、パネル１０の走査電極ＳＣ１〜ＳＣ２１６０に印加する１フィールド期間の駆動電圧波形を模式的に示している。図４（ａ）〜図４（ｄ）において、縦軸は走査電極ＳＣ１〜ＳＣ２１６０を示し、横軸は時間を示している。また、書込み動作を行うタイミングを実線で示し、維持期間および消去期間のタイミングはハッチングで示している。
【００４０】
１フィールド期間の時間を１６．７ｍｓとし、１走査電極１本あたりの書込み動作に要する時間を０．７μｓとすると、走査電極の数が２１６０本であるため、すべての走査電極で書込み動作を１回行うのに必要な時間Ｔｗは、０．７×２１６０＝１５１２μｓである。
【００４１】
ここでは、表示電極対グループ数Ｎ＝２として、図２に示すように、パネルの上半分に位置する表示電極対を第１の表示電極対グループとし、パネルの下半分に位置する表示電極対を第２の表示電極対グループとする。すなわち１０８０本の走査電極ＳＣ１〜ＳＣ１０８０および１０８０本の維持電極ＳＵ１〜ＳＵ１０８０が第１の表示電極対グループに属し、１０８０本の走査電極ＳＣ１０８１〜ＳＣ２１６０および１０８０本の維持電極ＳＵ１０８１〜ＳＵ２１６０が第２の表示電極対グループに属している。
【００４２】
まず、図４（ａ）に示すように、１フィールド期間の最初に、パネル全体の放電セルで一斉に初期化放電を発生させる初期化期間を設ける。ここでは、初期化期間に要する時間を５００μｓとする。
【００４３】
次に、図４（ｂ）に示すように、走査電極ＳＣ１〜ＳＣ２１６０に走査パルスを順次印加するのに要する時間Ｔｗを見積もる。このとき、連続して書込み動作が行われるように走査パルスを可能な限り短く、かつ可能な限り連続して印加することが望ましい。
【００４４】
次に、１フィールド内に設けるサブフィールド数を見積もる。
ここでは、消去期間に要する時間はわずかなのでこれを無視して見積もると、１フィールド期間の時間（１６．７ｍｓ）から初期化期間の時間（０．５ｍｓ）を引いて、すべての走査電極で書込み動作を１回行うために必要な時間（１．５ｍｓ）で割った値（１６．７−０．５）／１．５＝１０．８が、１フィールド内に設けることのできるサブフィールドの数に相当する。
【００４５】
従って、図４（ｃ）に示すように、最大で１０個のサブフィールド（ＳＦ１、ＳＦ２、・・・、ＳＦ１０）を確保できることがわかる。
以上の考察にもとづき、図２に示したように表示電極対を２つの表示電極対グループに分ける。そして図４（ｄ）に示すように、それぞれのグループに属する走査電極の書込みの後に、維持パルスを印加する維持期間を設ける。１０サブフィールドの各々において、「６０」、「４４」、「３０」、「１８」、「１１」、「６」、「３」、「２」、「１」、「１」の維持パルスを印加することとする。
【００４６】
維持パルス幅（周期）を１０μｓとすると、最も輝度重みの大きいサブフィールド「６０」において維持期間に割り当てられる時間は６００μｓとなる。
この場合、Ｎ＝２、Ｔｗ＝１５１２μｓ、Ｔｓ＝６００μｓであるので、Ｔｗ×（Ｎ−１）／Ｎ＝７５６≧６００となり、上記不等式  Ｔｗ×（Ｎ−１）／Ｎ≧Ｔｓが満たされている。
【００４７】
以上のようにして、パネル１０の表示電極対グループの数Ｎや、各表示電極対グループにおけるサブフィールドの時間設定などを行うことができる。
なお、以上の計算では、消去期間については無視して計算したが、いずれかの表示電極対グループが消去期間であるときには、書込み動作を行わないように設定することが望ましい。これは、消去期間は壁電圧を消去するだけでなく、次の書込み期間の書込み動作に備えてデータ電極上の壁電圧を調整する期間でもあるため、消去期間においてはデータ電極の電圧を固定しておくことが望ましいからである。
【００４８】
（駆動電圧波形に関する説明）
図５は、パネル１０の各電極に印加する駆動電圧波形を示す図である。本実施の形態においては、１フィールドの最初にすべての放電セルで一斉に初期化放電を発生させる初期化期間を設け、かつそれぞれの表示電極対グループのそれぞれのサブフィールドの維持期間の後に、その維持期間で放電した放電セルに対して消去放電を発生させる消去期間を設けている。図５には、初期化期間と、第１の表示電極対グループに対するＳＦ１〜ＳＦ２およびＳＦ３の書込み期間、第２の表示電極対グループに対するＳＦ１〜ＳＦ２を示している。
【００４９】
まず、初期化期間では、データ電極Ｄ１〜Ｄｍ、維持電極ＳＵ１〜ＳＵ２１６０にそれぞれ０（Ｖ）を印加し、走査電極ＳＣ１〜ＳＣ２１６０には、維持電極ＳＵ１〜ＳＵ２１６０に対して放電開始電圧以下の電圧Ｖｉ１から、放電開始電圧を超える電圧Ｖｉ２に向かって緩やかに上昇する傾斜波形電圧を印加する。ここで、初期化期間に走査電極に印加する最高電圧Ｖ１２は、維持電圧Ｖｓの２倍以上（４００Ｖ以上）に設定することが好ましい。この傾斜波形電圧が上昇する間に、走査電極ＳＣ１〜ＳＣ２１６０と維持電極ＳＵ１〜ＳＵ２１６０、データ電極Ｄ１〜Ｄｍとの間でそれぞれ微弱な初期化放電が発生する。そして、走査電極ＳＣ１〜ＳＣ２１６０上に負の壁電圧が蓄積されるとともに、データ電極Ｄ１〜Ｄｍ上および維持電極ＳＵ１〜ＳＵ２１６０上には正の壁電圧が蓄積される。ここで、電極上の壁電圧とは電極を覆う誘電体層上、保護層上、蛍光体層上等に蓄積された壁電荷により生じる電圧を表す。
【００５０】
次に、維持電極ＳＵ１〜ＳＵ２１６０に正の電圧Ｖｅ１を印加し、走査電極ＳＣ１〜ＳＣ２１６０には、維持電極ＳＵ１〜ＳＵ２１６０に対して放電開始電圧以下となる電圧Ｖｉ３から放電開始電圧を超える電圧Ｖｉ４に向かって緩やかに下降する傾斜波形電圧を印加する。この間に、走査電極ＳＣ１〜ＳＣ２１６０と維持電極ＳＵ１〜ＳＵ２１６０、データ電極Ｄ１〜Ｄｍとの間でそれぞれ微弱な初期化放電が発生する。そして、走査電極ＳＣ１〜ＳＣ２１６０上の負の壁電圧および維持電極ＳＵ１〜ＳＵ２１６０上の正の壁電圧が弱められ、データ電極Ｄ１〜Ｄｍ上の正の壁電圧は書込み動作に適した値に調整される。その後、走査電極ＳＣ１〜ＳＣ２１６０に電圧Ｖｃを印加する。
【００５１】
以上により、すべての放電セルに対して初期化放電が行われて初期化が終了する。
次に第１の表示電極対グループに対するＳＦ１の書込み期間について説明する。
この書き込みは、シングルスキャン方式で、以下のように２１６０ラインに順次書き込みを行う。
【００５２】
維持電極ＳＵ１〜ＳＵ２１６０に正の電圧Ｖｅ２を印加する。第１の表示電極対グループに属する走査電極ＳＣ１に負の電圧Ｖａを持つ走査パルスを印加するとともに、発光すべき放電セルに対応するデータ電極Ｄｋ（ｋ＝１〜ｍ）に正の電圧Ｖｄを持つ書込みパルスを印加する。するとデータ電極Ｄｋ上と走査電極ＳＣ１上との交差部の電圧差は、外部印加電圧の差（Ｖｄ−Ｖａ）にデータ電極Ｄｋ上の壁電圧と走査電極ＳＣ１上の壁電圧の差とが加算されたものとなり放電開始電圧を超える。そして、データ電極Ｄｋと走査電極ＳＣ１との間で放電が開始し、維持電極ＳＵ１と走査電極ＳＣ１との間の放電に進展して書込み放電が発生する。その結果、走査電極ＳＣ１上に正の壁電圧が蓄積され、維持電極ＳＵ１上に負の壁電圧が蓄積され、データ電極Ｄｋ上にも負の壁電圧が蓄積される。このようにして、１ライン目に発光させるべき放電セルで書込み放電を発生して各電極上に壁電圧を蓄積する書込み動作が行われる。一方、書込みパルス電圧Ｖｄを印加しなかったデータ電極Ｄ１〜Ｄｍと走査電極ＳＣ１との交差部の電圧は放電開始電圧を超えないので、書込み放電は発生しない。
【００５３】
次に、２ライン目の走査電極ＳＣ２に走査パルスを印加するとともに、発光すべき放電セルに対応するデータ電極Ｄｋに書込みパルスを印加する。すると走査パルスと書込みパルスとが同時に印加された２ライン目の放電セルでは書込み放電が発生し、書込み動作が行われる。
【００５４】
以上の書込み動作を１０８０ライン目の放電セルに至るまで繰り返し、発光すべき放電セルに対して選択的に書込み放電を発生させ壁電荷を形成する。
この間、第２の表示電極対グループに属する走査電極ＳＣ１０８１〜ＳＣ２０６０には、電圧Ｖｃが、維持電極ＳＵ１０８１〜ＳＵ２０６０には電圧Ｖｅが印加されたままであり、放電の発生しない休止期間である。
【００５５】
次に第２の表示電極対グループに対するＳＦ１の書込み期間について説明する。
維持電極ＳＵ１〜ＳＵ２１６０には正の電圧Ｖｅ２を印加する。第２の表示電極対グループに属する走査電極ＳＣ１０８１に走査パルスを印加するとともに、発光すべき放電セルに対応するデータ電極Ｄｋ（ｋ＝１〜ｍ）に書込みパルスを印加する。するとデータ電極Ｄｋと走査電極ＳＣ１０８１との間、維持電極ＳＵ１０８１と走査電極ＳＣ１０８１との間で書込み放電が発生する。次に、走査電極ＳＣ１０８２に走査パルスを印加するとともに、発光すべき放電セルに対応するデータ電極Ｄｋに書込みパルスを印加する。すると走査パルス電圧Ｖａと書込みパルス電圧Ｖｄとが同時に印加された１０８２ライン目の放電セルで書込み放電が発生する。
【００５６】
以上の書込み動作を２１６０ライン目の放電セルに至るまで繰り返し、発光すべき放電セルに対して選択的に書込み放電を発生させ壁電荷を形成する。
この間は、第１の表示電極対グループに対してはＳＦ１の維持期間である。すなわち、第１の表示電極対グループに属する走査電極ＳＣ１〜ＳＣ１０８０および維持電極ＳＵ１〜ＳＵ１０８０には、「６０」の維持パルスを交互に印加して書込み放電を行った放電セルを発光させる。
【００５７】
具体的には、まず走査電極ＳＣ１〜ＳＣ１０８０に正の電圧Ｖｓをもつ維持パルスを印加するとともに維持電極ＳＵ１〜ＳＵ１０８０に０（Ｖ）を印加する。すると書込み放電を発生させた放電セルでは、走査電極ＳＣｉ上と維持電極ＳＵｉ上との電圧差が維持パルス電圧Ｖｓに走査電極ＳＣｉ上の壁電圧と維持電極ＳＵｉ上の壁電圧との差が加算されたものとなり放電開始電圧を超える。そして、走査電極ＳＣｉと維持電極ＳＵｉとの間に維持放電が発生し、このとき発生した紫外線により蛍光体層３５が発光する。そして走査電極ＳＣｉ上に負の壁電圧が蓄積され、維持電極ＳＵｉ上に正の壁電圧が蓄積される。書込み期間において書込み放電を発生させなかった放電セルでは維持放電は発生せず、初期化期間の終了時における壁電圧が保たれる。
【００５８】
続いて、走査電極ＳＣ１〜ＳＣ１０８０には０（Ｖ）を、維持電極ＳＵ１〜ＳＵ１０８０には維持パルスをそれぞれ印加する。すると、維持放電を発生した放電セルでは、維持電極ＳＵｉ上と走査電極ＳＣｉ上との電圧差が放電開始電圧を超えるので再び維持電極ＳＵｉと走査電極ＳＣｉとの間で維持放電が発生し、維持電極ＳＵｉ上に負の壁電圧が蓄積され走査電極ＳＣｉ上に正の壁電圧が蓄積される。以降同様に、走査電極ＳＣ１〜ＳＣ１０８０と維持電極ＳＵ１〜ＳＵ１０８０とに交互に維持パルスを印加し、表示電極対の電極間に電位差を与えることにより、書込み期間において書込み放電を発生した放電セルで維持放電が継続して発生し、放電セルが発光する。
【００５９】
そして、維持期間の後には消去期間が設けられている。消去期間では、走査電極ＳＣ１〜ＳＣｎと維持電極ＳＵ１〜ＳＵｎとの間にいわゆる細幅パルス状の電圧差を与えて、データ電極Ｄｋ上の正の壁電圧を残したまま、走査電極ＳＣｉおよび維持電極ＳＵｉ上の壁電圧を消去している。
【００６０】
次に第１の表示電極対グループに対するＳＦ２の書込み期間について説明する。
維持電極ＳＵ１〜ＳＵ２１６０に正の電圧Ｖｅ２を印加する。第１の表示電極対グループに属する走査電極ＳＣ１〜ＳＣ１０８０には、ＳＦ１の書込み期間と同様に、走査電極ＳＣ１〜ＳＣ１０８０に走査パルスを順次印加するとともに、データ電極Ｄｋに書込みパルスを印加して、１〜１０８０ライン目の放電セルで書込み動作が行われる。
【００６１】
この間は、第２の表示電極対グループに対してはＳＦ１の維持期間である。すなわち、第２の表示電極対グループに属する走査電極ＳＣ１０８１〜ＳＣ２１６０および維持電極ＳＵ１０８１〜ＳＵ２１６０には、「６０」の維持パルスを交互に印加して書込み放電を行った放電セルを発光させる。
【００６２】
そして、維持期間の後の消去期間では、走査電極ＳＣ１０８１〜ＳＣ２１６０と維持電極ＳＵ１０８１〜ＳＵ２１６０との間に細幅パルス状の電圧差を与えて、データ電極Ｄｋ上の正の壁電圧を残したまま、走査電極ＳＣｉ上および維持電極ＳＵｉ上の壁電圧を消去している。
【００６３】
以降同様に、第２の表示電極対グループに対するＳＦ２の書込み期間、第１の表示電極対グループに対するＳＦ３の書込み期間、・・・、第２の表示電極対グループに対するＳＦ１０の書込み期間と続き、最後に第２の表示電極対グループに対するＳＦ１０の維持期間および消去期間と続いて１フィールドを終える。
【００６４】
（本実施形態の駆動方法による効果）
以上説明したように、本実施の形態の駆動方法においては、各表示電極対グループにおける各サブフィールドの維持期間の時間を、Ｔｗ×（Ｎ−１）／Ｎ  以下の範囲内でサブフィールドの輝度重みに応じて設定しているので、初期化期間の後に、いずれかの表示電極対グループで連続して書込み動作を行うように走査パルス及び書込みパルスを配置することができる。その結果、１フィールド期間内に１０個のサブフィールド、すなわち１フィールド期間内に設定可能な最大数のサブフィール数を設定することができる。
【００６５】
なお、ライン数の少ないパネルでは、すべての走査電極で書込み動作を１回行うために必要な時間Ｔｗが短いので、各サブフィールドにおいてＴｗ×（Ｎ−１）／Ｎ以下の範囲内で設定可能な維持期間は短くなってしまうが、ライン数１０８０本以上の高精細パネルにおいては、すべての走査電極で書込み動作を１回行うために必要な時間Ｔｗが長くなり、Ｔｗ×（Ｎ−１）／Ｎの時間も長くなり、各サブフィールドに割り当て可能な維持期間の最大時間Ｔｓも長くなる。従って、本実施形態の駆動方法は、高精細パネルを駆動する場合に特に有用である。
また、本実施の形態の駆動方法においては、１フィールドの最初にすべての放電セルで一斉に初期化放電を発生させる初期化期間を設けており、各サブフィールドごとには、初期化期間は設けていない。これによって、各サブフィールドごとに初期化期間を設ける場合と比べると、１フィールド内に占める初期化期間の時間を大幅に短縮できるので、１フィールド内に設けるサブフィールド数を増やすのに寄与する。
【００６６】
なお、上記のような高電圧（維持電圧のＶｓの２倍以上）の全セル初期化パルス、特に図５に示すような傾斜波形部分を有する全セル初期化パルスを、１フィールドの最初に印加すれば、各サブフィールドごとに、初期化パルスを印加しなくても、消去パルスを印加することによって、各放電セルの壁電荷を十分制御することができる。
【００６７】
また本実施の形態においては、最後に第２の表示電極対グループに対する維持期間および消去期間で１フィールドを終える。従って、図４に示す例のように、最後のサブフィールドに、輝度重みの最も小さいサブフィールドを配置すれば、駆動時間を短縮することもできる。
【００６８】
このように最後のサブフィールドにおける駆動時間を短縮できることは、１フィールド内に設けるサブフィールド数を増やすのに寄与する。
なお以上の説明では、消去期間では走査電極と維持電極との間に細幅パルス状の電圧差を与えて消去動作を行うものとし、いずれかの表示電極対グループが消去期間であっても、書込み動作を行うものとして、消去期間に要する時間を無視してサブフィールド構成および表示電極対グループの数を設定したが、消去動作を行うにはある程度の時間が必要なので、上述したように、いずれかの表示電極対グループが消去期間であるときには書込み動作を行わないよう考慮しながら設定することが望ましい。
【００６９】
（消去期間に関するバリエーション）
図６は、消去期間に各電極に印加する駆動電圧波形のバリエーションを示す図である。図６（ａ）に示した駆動電圧波形は、消去期間において、走査電極ＳＣｉと維持電極ＳＵｉとの間に細幅パルス状の電圧差を与えた後、緩やかに下降する傾斜波形電圧を走査電極ＳＣｉに印加する。この駆動波形によれば、消去期間に要する時間は増加するものの、各電極上の壁電圧を精度よく制御することができる。
【００７０】
また、図６（ｂ）に示した駆動電圧波形は、消去期間において、緩やかに上昇する傾斜波形電圧を走査電極ＳＣｉに印加した後、緩やかに下降する傾斜波形電圧を走査電極ＳＣｉに印加する。この駆動波形によれば、さらに、消去期間に要する時間が増加するものの、各電極上の壁電圧を精度よく制御することができる。
【００７１】
図７は、駆動電圧波形のサブフィールド構成を示す模式図であり、縦軸は走査電極ＳＣ１〜ＳＣ２１６０を示し、横軸は時間を示している。また、書込み動作を行うタイミングを実線で示し、維持期間および消去期間のタイミングはハッチングで示している。図７（ａ）は維持期間の直後に消去期間を設けた場合の駆動電圧波形を示しており、第１の表示電極対グループが消去期間であるときには第２の表示電極対グループの書込み動作を行わず、第２の表示電極対グループが消去期間であるときには第１の表示電極対グループの書込み動作を行わない。また、図７（ｂ）は書込み期間の直前に、前のサブフィールドの消去期間を設けた場合の駆動電圧波形を示しており、第１の表示電極対グループが消去期間であるときには第２の表示電極対グループの書込み動作を行わず、第２の表示電極対グループが消去期間であるときには第１の表示電極対グループの書込み動作を行わない。
【００７２】
このように、いずれかの表示電極対グループが消去期間であるときに書込み動作を行わない場合には、消去期間に要する時間を見込んでサブフィールド構成および表示電極対のグループ数Ｎを設定すればよい。
【００７３】
（プラズマディスプレイ装置１００の回路構成）
図８は、プラズマディスプレイ装置１００の回路ブロック図である。
プラズマディスプレイ装置１００は、パネル１０、画像信号処理回路４１、データ電極駆動回路４２、走査電極駆動回路４３ａ，４３ｂ、維持電極駆動回路４４ａ、４４ｂ、タイミング発生回路４５および各回路ブロックに必要な電源を供給する電源回路（図示せず）を備えている。
【００７４】
画像信号処理回路４１は、画像信号を、サブフィールド毎の発光・非発光を示す画像データに変換する。データ電極駆動回路４２は、ｍ本のデータ電極Ｄ１〜Ｄｍのそれぞれに書込みパルス電圧Ｖｄまたは０（Ｖ）を印加するためのｍ個のスイッチを備えている。そして画像信号処理回路４１から出力された画像データを各データ電極Ｄ１〜Ｄｍに対応する書込みパルスに変換し、各データ電極Ｄ１〜Ｄｍに印加する。
【００７５】
タイミング発生回路４５は水平同期信号、垂直同期信号を基にして各回路の動作を制御する各種のタイミング信号を発生して各回路に供給する。
タイミング発生回路４５は、垂直同期信号Ｖから一定時間経過した時点でフィールド開始信号を生成し、このフィールド開始信号を起点に各サブフィールドの初期化期間、アドレス期間、維持期間の開始を指示するタイミング信号を生成する。さらに、各期間の開始を指示するタイミング信号を起点としてクロックをカウントすることにより、各駆動回路４２、４３ａ，４３ｂ，４４ａ，４４ｂにパルス発生のタイミングを指示するタイミング信号を生成して、各駆動回路に出力する。
【００７６】
走査電極駆動回路４３ａはタイミング信号に基づいて、走査電極ＳＣ１〜ＳＣ１０８０を駆動し、走査電極駆動回路４３ｂはタイミング信号に基づいて、走査電極ＳＣ１０８１〜ＳＣ２１６０を駆動する。また維持電極駆動回路４４ａはタイミング信号に基づいて維持電極ＳＵ１〜ＳＵ１０８０を駆動し、維持電極駆動回路４４ｂはタイミング信号に基づいて、維持電極ＳＵ１０８１〜ＳＵ２１６０を駆動する。
【００７７】
図９は、プラズマディスプレイ装置１００の走査電極駆動回路４３ａの回路図である。走査電極駆動回路４３ａは、維持パルス発生回路５０、初期化波形発生回路６０、走査パルス発生回路７０を備えている。
【００７８】
維持パルス発生回路５０は、電力回収部を構成する電力回収用のコンデンサＣ５１、スイッチング素子Ｑ５１，Ｑ５２、逆流防止用のダイオードＤ５１，Ｄ５２、共振用のインダクタＬ５１を有し、さらに電圧クランプ部を構成するスイッチング素子Ｑ５５，Ｑ５６を有している。そして走査電極ＳＣ１〜ＳＣ１０８０に維持パルスを印加する。
【００７９】
電力回収部では、表示電極間の電極間容量とインダクタＬ５１とをＬＣ共振させて維持パルスの立ち上がりおよび立ち下がり動作を行う。維持パルスの立ち上がり時には、電力回収用のコンデンサＣ５１に蓄えられている電荷をスイッチング素子Ｑ５１、ダイオードＤ５１およびインダクタＬ５１を介して電極間容量に移動する。維持パルスの立ち下がり時には、電極間容量に蓄えられた電荷を、インダクタＬ５１、ダイオードＤ５２およびスイッチング素子Ｑ５２を介して電力回収用のコンデンサＣ５１に戻す。このように、電力回収部はＬＣ共振を用いて表示電極の駆動を行うため、理想的には電源からほとんど電力供給されることなく、消費電力０で駆動できる。
【００８０】
なお、電力回収用のコンデンサＣ５１は電極間容量に比べて十分に大きい容量を持ち、電力回収部の電源として働くように、電圧Ｖｓの半分の約Ｖｓ／２に充電されている。
電圧クランプ部においては、スイッチング素子Ｑ５５を介して表示電極を電源に接続して電圧Ｖｓにクランプしたり、また、スイッチング素子Ｑ５６を介して表示電極を接地して０（Ｖ）にクランプする。従って、電圧クランプ部による電圧印加時のインピーダンスは小さく、強い維持放電による大きな放電電流を安定して流すことができる。
【００８１】
こうして維持パルス発生回路５０は、スイッチング素子Ｑ５１，Ｑ５２，Ｑ５５，Ｑ５６を制御することによって、走査電極ＳＣ１〜ＳＣ１０８０に維持パルスを印加する。なお、これらのスイッチング素子は、ＭＯＳＦＥＴやＩＧＢＴ等の一般に知られた素子を用いて構成することができる。
【００８２】
初期化波形発生回路６０は、初期化期間において走査電極ＳＣ１〜ＳＣ１０８０に緩やかに上昇する傾斜波形電圧を印加するためのミラー積分回路６１と、緩やかに下降する傾斜波形電圧を印加するためのミラー積分回路６２とを備えている。ここでスイッチング素子Ｑ６３、Ｑ６４は分離スイッチであり、維持パルス発生回路５０および初期化波形発生回路６０を構成するスイッチング素子の寄生ダイオードを介して電流が逆流するのを防止するために設けられている。
【００８３】
このような初期化波形発生回路６０によって、最高電圧４００Ｖ以上の初期化パルスを、走査電極ＳＣ１〜ＳＣ１０８０に一括して印加することができる。
走査パルス発生回路７０は、必要に応じて走査電圧Ｖａを走査電極ＳＣ１に印加するためのスイッチング素子Ｑ７１Ｈ１およびＱ７１Ｌ１と、走査電極ＳＣ２に印加するためのスイッチング素子Ｑ７１Ｈ２およびＱ７１Ｌ２と、・・・、走査電極ＳＣ１０８０に印加するためのスイッチング素子Ｑ７１Ｈ１０８０およびＱ７１Ｌ１０８０とを有する。そして走査電極ＳＣ１〜ＳＣ１０８０に上述したタイミングで走査電圧Ｖａを順次印加する。
【００８４】
図１０は、プラズマディスプレイ装置１００における維持電極駆動回路４４ａの回路図である。維持電極駆動回路４４ａは、維持パルス発生回路８０、一定電圧発生回路９０を備えている。
【００８５】
維持パルス発生回路８０は、維持パルス発生回路５０と同様の構成であり、電力回収部を構成する電力回収用のコンデンサＣ８１、スイッチング素子Ｑ８１、Ｑ８２、逆流防止用のダイオードＤ８１、Ｄ８２、共振用のインダクタＬ８１を有し、さらに電圧クランプ部を構成するスイッチング素子Ｑ８５、Ｑ８６を有している。そして維持電極ＳＵ１〜ＳＵ１０８０に維持パルスを印加する。
【００８６】
一定電圧発生回路９０は、スイッチング素子Ｑ９１と逆流防止用のダイオードＤ９１とを有し、初期化期間において正の電圧Ｖｅ１を維持電極ＳＵ１〜ＳＵ１０８０に印加する。また、スイッチング素子Ｑ９２と逆流防止用のダイオードＤ９２とを有し、書込み期間において維持電極ＳＵ１〜ＳＵ１０８０に正の電圧Ｖｅ１を印加する。
【００８７】
なお、走査電極駆動回路４３ｂは走査電極駆動回路４３ａと同様の構成であり、維持電極駆動回路４４ｂは維持電極駆動回路４４ａと同様の構成であるため説明を省略する。
[実施の形態２]
上記実施の形態１の具体例では、表示電極対グループ数Ｎが２の場合について説明したが、表示電極対グループ数Ｎをもっと大きく設定する場合について説明する。
【００８８】
本実施の形態においても、実施の形態１と同様に、シングルスキャン方式で書き込み駆動を行い、１フィールド期間の時間を１６．７ｍｓとした。また初期化期間に要する時間を５００μｓ、１走査電極１本あたりの書込み動作に要する時間を０．７μｓとする。すべての走査電極で書込み動作を１回行うために必要な時間Ｔｗは１５１２μｓであり、連続して書込み動作を行うことによって、１フィールドに１０個のサブフィールド確保できる点も実施の形態１と同様である。
【００８９】
ただし、本実施形態では，各サブフィールドにおいて、印加する維持パルスの数は、「１１０」、「８１」、「５５」、「３３」、「２０」、「１１」、「６」、「４」、「２」、「１」とする。維持パルス周期を１０μｓとすると、維持パルスを印加する維持期間の最大時間Ｔｓは、１０×１１０＝１１００μｓである。
【００９０】
すべての走査電極で書込み動作を１回行うために必要な時間Ｔｗと、維持パルス印加に割り当て可能な最大時間Ｔｓに基づいて、数式Ｎ≧Ｔｗ／（Ｔｗ−Ｔｓ）を満たすようにＮを決めるとすると、Ｔｗ／（Ｔｗ−Ｔｓ）＝１５１２／（１５１２−１１００）＝３．６７なので、表示電極対グループ数Ｎを４以上に設定すれば、Ｎ≧Ｔｗ／（Ｔｗ−Ｔｓ）が満たされる（Ｔｓ≦Ｔｗ×（Ｎ−１）／Ｎも満たされる）。
【００９１】
従って本実施形態では、表示電極対グループ数Ｎを４に設定する。
図１１は、実施の形態２にかかるパネル１０の電極配列図である。
パネルを上下方向に４分割して４つの表示電極対グループに分け、パネルの上部に位置する表示電極対から順に、第１の表示電極対グループ、第２の表示電極対グループ、第３の表示電極対グループ、第４の表示電極対グループとしている。すなわち、走査電極ＳＣ１〜ＳＣ５４０および維持電極ＳＵ１〜ＳＵ５４０が第１の表示電極対グループに属し、走査電極ＳＣ５４１〜ＳＣ１０８０および維持電極ＳＵ５４１〜ＳＵ１０８０が第２の表示電極対グループに属し、走査電極ＳＣ１０８１〜ＳＣ１６２０および維持電極ＳＵ１０８１〜ＳＵ１６２０が第３の表示電極対グループに属し、走査電極ＳＣ１６２１〜ＳＣ２１６０および維持電極ＳＵ１６２１〜ＳＵ２１６０が第４の表示電極対グループに属している。
【００９２】
図１２は、実施の形態２にかかる駆動電圧波形のサブフィールド構成を示す模式図であり、縦軸は走査電極ＳＣ１〜ＳＣ２１６０を示し、横軸は時間を示している。また、書込み動作を行うタイミングを実線で示し、維持期間および消去期間のタイミングはハッチングで示している。
【００９３】
実施の形態１と比べると、表示電極対のグループ数Ｎが増えており、Ｔｗ×（Ｎ−１）／Ｎの値が大きいので、その分、維持期間に割り当て可能な時間Ｔｓは長くなる。
従って、維持期間に表示電極対に印加する維持パルス数を増やすことができ、パネルの発光輝度を高めることができる。
【００９４】
また本実施形態においては、消去期間を次のサブフィールドの書込み期間の直前に設けている。そして、初期化期間およびそれぞれの消去期間を除くフィールド期間にいずれかの表示電極対グループで連続して書込み動作を行うように駆動している。加えて、維持期間が消去期間の直前で終了するように、書込み期間と維持期間との間に放電を発生させない期間を設けている。このように維持期間の直後に消去期間を設けることで、維持放電で発生したプライミングを利用して消去放電を行うことができ、安定した消去動作を行うことができる。
【００９５】
（変形例など）
なお、以上の実施の形態１，２において用いた具体的な各数値は、単に一例を挙げたに過ぎず、パネルの特性やプラズマディスプレイ装置の仕様等に合わせて、適宜最適な値に設定することが望ましい。
【００９６】
また、上記実施の形態１，２においては、２１６０ラインに順次書き込みを行うシングルスキャン方式で駆動する例について説明したが、例えば、４３２０ラインを備える公知のデュアル駆動方式のパネルにおいて、分割された２つの各領域に対して、上記実施の形態で説明した駆動方法を適用することもできる。これによって、４３２０ラインの超高精細ＰＤＰを実現することができる。その場合、各領域ごとにドライバが必要であるが、比較的容易に超高精細ＰＤＰを実現できる。
【産業上の利用可能性】
【００９７】
本発明によれば、２１６０ライン以上の超高精細パネルであっても、シングルスキャン方式で駆動し、且つ画質を確保するための十分なサブフィールド数を確保することができ、十分な輝度で駆動することができるので、高精細のプラズマディスプレイ装置を高輝度で駆動する上で有用である。
【符号の説明】
【００９８】
１０    パネル
２２    走査電極
２３    維持電極
２４    表示電極対
３２    データ電極
４１    画像信号処理回路
４２    データ電極駆動回路
４３ａ，４３ｂ    走査電極駆動回路
４４ａ，４４ｂ    維持電極駆動回路
４３    表示電極対駆動回路
４５    タイミング発生回路
１００    プラズマディスプレイ装置
【手続補正２】
【補正対象書類名】特許請求の範囲
【補正対象項目名】全文
【補正方法】変更
【補正の内容】
【特許請求の範囲】
【請求項１】
走査電極と維持電極とで構成された表示電極対を複数備えるとともに複数のデータ電極を備え、前記表示電極対と前記データ電極とが交差する位置のそれぞれに放電セルを構成したプラズマディスプレイパネルを駆動する方法であって、
前記複数の表示電極対を複数の表示電極対グループに分け、
前記表示電極対グループ毎に、放電セルで書込み放電を発生させる書込み期間と前記放電セルで維持放電を発生させる維持期間とを有し、輝度重み付けされた複数のサブフィールドを用いて１フィールド期間を分割し、
前記表示電極対グループの数をＮ（Ｎは２以上の整数）、パネル全体の放電セルで１回の書込み動作を行うために必要な時間をＴｗとするとき、
各表示電極対グループの各サブフィールドの維持期間の時間が、Ｔｗ×（Ｎ−１）／Ｎ以下の範囲内で当該サブフィールドの輝度重みに応じて設定され、
１フィールドの最初に、前記複数の表示電極対を構成する各走査電極に対して、一括して初期化パルスを印加する初期化期間を設け、且つ、各表示電極対グループの各サブフィールドの維持期間の後に、上昇する傾斜波形部分とその後に下降する傾斜波形部分を有する電圧を各走査電極に印加することによって、維持期間で放電した放電セルに消去放電を発生させる消去期間を設けた駆動を行うプラズマディスプレイパネルの駆動方法。
【請求項２】
各表示電極対グループの各サブフィールドの維持期間の時間が、{Ｔｗ×（Ｎ−１）／Ｎ}−（Ｔｅ−Ｔｅａ）以下の範囲内で当該サブフィールドの輝度重みに応じて設定され、
且つ１以上のグループの消去期間において、消去波形印加から時間Ｔｅａが経過するまでの間には重複して書き込みを行い、それ以降は他の全ラインで書き込みを行わない配置とする請求項１記載のプラズマディスプレイパネルの駆動方法。
ここで、上記時間Ｔｅａは、各サブフィールドにおいて消去期間の開始から、走査電極に印加する電位が上昇して所定の電位Ｖｅａ＝ＶSUS／２＋Ｖｄａ＋Ｖｅｓｅｔ−Ｖｆｄ−Ｖｆｓに達するまでの時間である（ただし、消去期間において走査電極に印加する上昇波形の最高電位をＶｅｓｅｔ、走査電極と維持電極間の放電開始電圧をＶｆｓ、走査電極とデータ電極間の放電開始電圧をＶｆｄ、書込み期間にデータ電極に印加する電圧をＶｄａ、維持期間に表示電極対に印加する維持電圧をＶSUSとする。）。
【請求項３】
前記初期化期間に前記走査電極に印加する初期化パルスの最高電圧は、
前記維持期間に前記複数の表示電極対に印加する維持電圧の２倍以上である請求項１記載のプラズマディスプレイパネルの駆動方法。
【請求項４】
前記初期化期間および前記各消去期間を除くフィールド期間に、いずれかの表示電極対グループで連続して書込み動作を行う請求項１に記載のプラズマディスプレイパネルの駆動方法。
【請求項５】
１フィールド期間に含まれる複数のサブフィールドの中で、輝度重みの最も小さいサブフィールドが最後に配置されている請求項１に記載のプラズマディスプレイパネルの駆動方法。
【請求項６】
走査電極と維持電極とで構成された表示電極対を複数備えると共に複数のデータ電極を備え、前記表示電極対と前記データ電極とが交差する位置のそれぞれに放電セルを構成したプラズマディスプレイパネルと、前記プラズマディスプレイパネルを駆動するための駆動回路とを備え、
前記駆動回路は、
前記複数の表示電極対を複数の表示電極対グループに分け、
前記表示電極対グループ毎に、前記放電セルで書込み放電を発生させる書込み期間と前記放電セルで維持放電を発生させる維持期間とを有し、輝度重み付けされた複数のサブフィールドを用いて１フィールド期間を分割し、
前記表示電極対グループの数をＮ（Ｎは２以上の整数）、パネル全体の放電セルで１回の書込み動作を行うために必要な時間をＴｗとするとき、
各表示電極対グループの各サブフィールドの維持期間の時間が、Ｔｗ×（Ｎ−１）／Ｎ以下の範囲内で当該サブフィールドの輝度重みに応じて設定され、
１フィールドの最初に、前記複数の表示電極対を構成する各走査電極に対して、一括して初期化パルスを印加する初期化期間を設け、且つ、各表示電極対グループの各サブフィールドの維持期間の後に、上昇する傾斜波形部分とその後に下降する傾斜波形部分を有する電圧を各走査電極に印加することによって、維持期間で放電した放電セルに消去放電を発生させる消去期間を設けた駆動を行うプラズマディスプレイ装置。
【請求項７】
各表示電極対グループの各サブフィールドの維持期間の時間が、{Ｔｗ×（Ｎ−１）／Ｎ}−（Ｔｅ−Ｔｅａ）以下の範囲内で当該サブフィールドの輝度重みに応じて設定され、
且つ１以上のグループの消去期間において、消去波形印加から時間Ｔｅａが経過するまでの間には重複して書き込みを行い、それ以降は他の全ラインで書き込みを行わない配置とする請求項６記載のプラズマディスプレイ装置。
ここで、上記時間Ｔｅａは、各サブフィールドにおいて消去期間の開始から、走査電極に印加する電位が上昇して所定の電位Ｖｅａ＝ＶSUS／２＋Ｖｄａ＋Ｖｅｓｅｔ−Ｖｆｄ−Ｖｆｓに達するまでの時間である（ただし、消去期間において走査電極に印加する上昇波形の最高電位をＶｅｓｅｔ、走査電極と維持電極間の放電開始電圧をＶｆｓ、走査電極とデータ電極間の放電開始電圧をＶｆｄ、書込み期間にデータ電極に印加する電圧をＶｄａ、維持期間に表示電極対に印加する維持電圧をＶSUSとする。）。
【請求項８】
前記初期化期間に前記走査電極に印加する初期化パルスの最高電圧は、
前記維持期間に前記複数の表示電極対に印加する維持電圧の２倍以上である請求項６記載のプラズマディスプレイ装置。
【請求項９】
前記初期化期間および前記各消去期間を除くフィールド期間に、いずれかの表示電極対グループで連続して書込み動作を行う請求項６に記載のプラズマディスプレイ装置。
【請求項１０】
１フィールド期間に含まれる複数のサブフィールドの中で、輝度重みの最も小さいサブフィールドが最後に配置されている請求項６に記載のプラズマディスプレイ装置。
【手続補正３】
【補正対象書類名】図面
【補正対象項目名】全図
【補正方法】変更
【補正の内容】
【図１】
2009133660.tif 000015
【図２】
2009133660.tif 000016
【図３】
2009133660.tif 000017
【図４】
2009133660.tif 000018
【図５】
2009133660.tif 000019
【図６】
2009133660.tif 000020
【図７】
2009133660.tif 000021
【図８】
2009133660.tif 000022
【図９】
2009133660.tif 000023
【図１０】
2009133660.tif 000024
【図１１】
2009133660.tif 000025
【図１２】
2009133660.tif 000026
【国際調査報告】
2009133660.tif 000027
2009133660.tif 000028
2009133660.tif 000029
2009133660.tif 000030
2009133660.tif 000031
2009133660.tif 000032
2009133660.tif 000033
2009133660.tif 000034